(57)【要約】ＮＲネットワークスライシングアーキテクチャが、ネットワークスライス発見および選択を促進するために使用され得る。ネットワークスライスを発見および選択する機構は、ユーザ機器がアイドルモードまたは接続モードであるかどうかに応じて異なり得る。さらに、種々の例では、ネットワークスライス発見および選択は、種々の選択基準に基づいて、ＵＥ、無線アクセスネットワーク（ＲＡＮ）、またはコアネットワーク（ＣＮ）によって実施され得る。
2019519993.tif 000002
【特許請求の範囲】
【請求項１】
プロセッサと、メモリと、通信回路とを備えている装置であって、前記装置は、前記装置の前記メモリの中に記憶されたコンピュータ実行可能命令をさらに備え、前記命令は、前記装置の前記プロセッサによって実行されると、
アイドルモードで動作するように、ネットワークと接続を確立する前に前記ネットワークの複数のスライスに関連付けられた情報を発見することと、
１つ以上のスライス選択基準および前記複数のスライスに関連付けられた前記情報に少なくとも部分的に基づいて、前記ネットワークの前記複数のスライスのうちの１つを選択することと、
前記選択されたスライスにアクセスすることと
を含む動作を前記装置に実施させる、装置。
【請求項２】
前記情報を発見することは、前記ネットワークの無線アクセスノードからブロードキャストされるシステム情報ブロックメッセージを受信し、復号することをさらに含み、前記システム情報ブロックメッセージは、前記ネットワークの前記複数のスライスに関連付けられた前記情報を含み、前記情報は、前記選択されたスライスの識別子を含む、請求項１に記載の装置。
【請求項３】
前記選択されたスライスにアクセスすることは、前記スライスを選択することに対してスライシング管理エンティティにアクセス要求を送信することを含み、前記アクセス要求は、ユーザ機器に関連付けられたコンテキスト情報を含み、それによって、前記スライスは、前記ユーザ機器に関連付けられた前記コンテキスト情報および前記複数のスライスに関連付けられた前記情報に基づいて選択される、請求項２に記載の装置。
【請求項４】
前記選択されたスライスにアクセスすることは、アクセス要求を前記選択されたスライスに送信することを含み、前記アクセス要求は、前記選択されたスライスの識別子を含む、請求項２に記載の装置。
【請求項５】
前記複数のスライスに関連付けられた前記情報は、各スライスに関連付けられた有効期間、前記各スライスが適用されるアプリケーション識別、各スライスが適用されるサービス、または、各スライスに関連付けられたタイプのうちの少なくとも１つを備えている、請求項１に記載の装置。
【請求項６】
前記１つ以上の選択基準は、各スライスに関連付けられた待ち時間、各スライスによって達成可能な帯域幅、または、各スライスに関連付けられたリソースモデルのうちの少なくとも１つを備えている、請求項１に記載の装置。
【請求項７】
前記情報を発見することは、前記装置において記憶されている前記情報の一部を読み出すことをさらに含み、前記情報の前記一部は、以前のネットワーク接続から記憶されている、請求項１に記載の装置。
【請求項８】
プロセッサと、メモリと、通信回路とを備えている装置であって、前記装置は、前記装置の前記メモリの中に記憶されたコンピュータ実行可能命令をさらに備え、前記命令は、前記装置の前記プロセッサによって実行されると、
スライスアクセス要求を受信することであって、前記アクセス要求は、ユーザ機器がアクセスを要求しているスライスに対応するネットワークスライス識別を備えている、ことと、
前記ネットワークスライス識別を使用して、前記ユーザ機器が前記スライスにアクセスすることを許可されているかどうかを決定することと、
前記ユーザ機器が前記スライスにアクセスすることを許可されている場合、前記ユーザ機器が前記スライスとのユーザプレーン接続を設定することができるように、前記ユーザ機器に向かって応答を送信することと
を含む動作を前記装置に実施させる、装置。
【請求項９】
前記ユーザ機器が前記スライスにアクセスすることを許可されているかどうかを決定することは、前記ネットワークスライス識別を使用して、前記スライスに関連付けられたコアネットワークエンティティを決定することを含む、請求項８に記載の装置。
【請求項１０】
前記ユーザ機器が前記スライスにアクセスすることを許可されているかどうかを決定することは、前記ユーザ機器との直接無線リンクを介して前記ユーザ機器から情報を収集し、評価することを含み、前記情報は、前記ユーザ機器に関係している、請求項８に記載の装置。
【請求項１１】
前記ユーザ機器に関係している前記情報は、前記ユーザ機器の能力、前記ユーザ機器に関連付けられたサービスタイプ、前記ユーザ機器に関連付けられたトラフィック特性、前記ユーザ機器のサービスの質要件を備えている、請求項８に記載の装置。
【請求項１２】
前記動作は、前記ユーザ機器に関係している前記情報に基づいて、前記ユーザ機器が使用することを許可されている１つ以上のネットワークスライスインスタンスのリストを取得することをさらに含み、前記スライスは、前記１つ以上のネットワークスライスインスタンスのうちの１つである、請求項１１に記載の装置。
【請求項１３】
前記動作は、将来のルーティングで使用するために、前記１つ以上のスライスインスタンスを含むようにマッピングテーブルを更新することをさらに含む、請求項１２に記載の装置。
【請求項１４】
ユーザ機器によって実施される方法であって、前記方法は、
アイドルモードで動作するように、ネットワークと接続を確立する前に前記ネットワークの複数のスライスに関連付けられた情報を発見することと、
１つ以上のスライス選択基準および前記複数のスライスに関連付けられた前記情報に少なくとも部分的に基づいて、前記ネットワークの前記複数のスライスのうちの１つを選択することと、
前記選択されたスライスにアクセスすることと
を含む、方法。
【請求項１５】
前記情報を発見することは、前記ネットワークの無線アクセスノードからブロードキャストされるシステム情報ブロックメッセージを受信し、復号することをさらに含み、前記システム情報ブロックメッセージは、前記ネットワークの前記複数のスライスに関連付けられた前記情報を含み、前記情報は、前記選択されたスライスの識別子を含む、請求項１４に記載の方法。
【請求項１６】
前記選択されたスライスにアクセスすることは、前記スライスを選択することに対してスライシング管理エンティティにアクセス要求を送信することを含み、前記アクセス要求は、前記スライスが、前記ユーザ機器に関連付けられたコンテキスト情報および前記複数のスライスに関連付けられた前記情報に基づいて選択されるように、前記ユーザ機器に関連付けられた前記コンテキスト情報を含む、請求項１５に記載の方法。
【請求項１７】
前記選択されたスライスにアクセスすることは、アクセス要求を前記選択されたスライスに送信することを含み、前記アクセス要求は、前記選択されたスライスの前記識別子を含む、請求項１５に記載の方法。
【請求項１８】
前記複数のスライスに関連付けられた前記情報は、各スライスに関連付けられた有効期間、前記各スライスが適用されるアプリケーション識別、各スライスが適用されるサービス、または、各スライスに関連付けられたタイプのうちの少なくとも１つを備えている、請求項１５に記載の方法。
【請求項１９】
前記１つ以上の選択基準は、各スライスに関連付けられた待ち時間、各スライスによって達成可能な帯域幅、または、各スライスに関連付けられたリソースモデルのうちの少なくとも１つを備えている、請求項１５に記載の方法。
【請求項２０】
前記情報を発見することは、前記装置において記憶されている前記情報の一部を読み出すことをさらに含み、前記情報の前記一部は、以前のネットワーク接続から記憶されている、請求項１５に記載の方法。
【発明の詳細な説明】
【技術分野】
【０００１】
（関連出願の引用）
本願は、米国仮特許出願第６２／３５０，５５０号（２０１６年６月１５日出願）、米国仮特許出願第６２／３７３，６９１号（２０１６年８月１１日出願）、米国仮特許出願第６２／３７３，７６８号（２０１６年８月１１日出願）、および米国仮特許出願第６２／４０１，０６２号（２０１６年９月２８日出願）に対する優先権の利益を主張し、上記出願の開示は、それらの全体が参照により本明細書に引用される。
【背景技術】
【０００２】
２０２０年およびそれ以降のためのＩｎｔｅｒｎａｔｉｏｎａｌ  Ｍｏｂｉｌｅ  Ｔｅｌｅｃｏｍｍｕｎｉｃａｔｉｏｎｓ（ＩＭＴ）（例えば、ＩＭＴ２０２０）は、現在のＩＭＴを超えて継続するであろう、多様な使用シナリオおよび用途群を拡張ならびにサポートするように想定される。さらに、多種多様な能力が、これらの異なる使用シナリオと緊密に結合され得る。例示的使用シナリオ群は、拡張モバイルブロードバンド（ｅＭＢＢ）、超信頼性かつ低遅延の通信（ＵＲＬＬＣ）、マッシブマシンタイプ通信（ｍＭＴＣ）、ならびにネットワーク動作を含む。ｅＭＢＢの例示的動作特性は、マクロおよびスモールセル、１ミリ秒の待ち時間（エアインターフェース）、高いモビリティのためのサポート等を含み得る。ＵＲＬＬＣの例示的動作特性は、低・中データレート（例えば、５０ｋｂｐｓ〜１０Ｍｂｐｓ）、１ミリ秒未満のエアインターフェース待ち時間、９９．９９９％信頼性および利用可能性、低接続確立待ち時間、０〜５００ｋｍ／時間のモビリティ等を含み得る。例示的ｍＭＴＣ動作特性は、低いデータレート（例えば、１〜１００ｋｂｐｓ）、デバイスの高い密度（例えば、２００，０００／ｋｍ２）、変動する待ち時間、要求される低電力（例えば、最大１５年のバッテリ自律性）、非同期アクセス等を含み得る。ネットワーク動作は、ネットワークスライシング、ルーティング、移動およびインターワーキング、エネルギー節約等の種々の主題に対処する。
【０００３】
新しい無線要件に関して、３ＧＰＰ  ＴＲ  ３８．９１３は、新しい無線（ＮＲ）技術のためのシナリオおよび要件を定義する。ＵＲＬＬＣおよびｍＭＴＣデバイスのための重要性能インジケータ（ＫＰＩ）が、以下の表１に要約される。
【０００４】
【表１】
2019519993.tif 000003
図１を参照すると、ネットワークスライシングの高レベル説明図が、描写されている。ネットワークスライスは、概して、１つ以上のケースの通信サービス要件をサポートする、論理ネットワーク機能の集合を指す。例えば、端末のサブスクリプションまたはタイプに基づいて、オペレータもしくはユーザの必要性を満たす方法で、端末を選択されたスライスにダイレクトすることが可能であり得る。ネットワークスライシングは主に、コアネットワークのパーティションを標的にするが、無線アクセスネットワーク（ＲＡＮ）が、複数のスライスをサポートするために、または異なるネットワークスライスのためのリソースの分割をサポートするために、具体的機能性を必要とし得るように、コアネットワーク（ＣＮ）に排他的ではない。
【０００５】
システム情報（ＳＩ）は、ＵＥがネットワーク内でアクセスおよび動作することができるように、ＵＥによって獲得される必要がある、進化型ユニバーサル地上無線アクセスネットワーク（Ｅ−ＵＴＲＡＮ）によってブロードキャストされる情報である。ＳＩは、ＭａｓｔｅｒＩｎｆｏｒｍａｔｉｏｎＢｌｏｃｋ（ＭＩＢ）およびいくつかのＳｙｓｔｅｍＩｎｆｏｒｍａｔｉｏｎＢｌｏｃｋ（ＳＩＢ）に分割される。ＭＩＢおよびＳＩＢの高レベル説明が、３ＧＰＰ  ＴＳ  ３６．３００で提供される。詳細な説明が、３ＧＰＰ  ＴＳ  ３６．３３１の中で入手可能である。ＳＩの例は、以下の表２に示される。
【０００６】
【表２−１】
2019519993.tif 000004
【０００７】
【表２−２】
2019519993.tif 000005
ここでＵＥ情報状態を参照すると、ＵＥは、電源を入れた後の異なる状態、すなわち、例えば、ＥＰＳモビリティ管理（ＥＭＭ）、ＥＰＳ接続管理（ＥＣＭ）、および無線リソース制御（ＲＲＣ）機能によって完全に管理される、図２に示されるような「アイドル」または「パケット通信」であり得る。
【発明の概要】
【課題を解決するための手段】
【０００８】
ＮＲネットワークスライシングアーキテクチャが、ネットワークスライス発見および選択を促進するために使用され得る。ネットワークスライスを発見および選択する機構は、ユーザ機器がアイドルモードまたは接続モードであるかどうかに応じて異なり得る。さらに、種々の例では、ネットワークスライス発見および選択は、種々の選択基準に基づいて、ＵＥ、無線アクセスネットワーク（ＲＡＮ）、またはコアネットワーク（ＣＮ）によって実施され得る。
【０００９】
本概要は、発明を実施するための形態において以下でさらに説明される、簡略化形態の一連の概念を導入するように提供される。本概要は、請求される主題の主要な特徴または不可欠な特徴を識別することを意図せず、請求される主題の範囲を限定するために使用されることも意図していない。さらに、請求される主題は、本開示の任意の部分で記述されるいずれかまたは全ての不利点を解決する制限に限定されない。
【図面の簡単な説明】
【００１０】
より詳細な理解が、付随の図面と併せて一例として挙げられる、以下の説明からもたらされ得る。
【図１】図１は、ネットワークスライシングの例を描写する。
【図２】図２は、例示的ユーザ機器（ＵＥ）に関連付けられる動作の状態を示す。
【図３】図３は、ＵＥがネットワークから複数のサービスを取得することを可能にするネットワークスライシングの例を描写する。
【図４Ａ】図４Ａ−５Ｂは、例示的実施形態による、ｍＭＴＣデバイスのための許可不要ＵＬ伝送のコールフローを描写する。
【図４Ｂ】図４Ａ−５Ｂは、例示的実施形態による、ｍＭＴＣデバイスのための許可不要ＵＬ伝送のコールフローを描写する。
【図５Ａ】図４Ａ−５Ｂは、例示的実施形態による、ｍＭＴＣデバイスのための許可不要ＵＬ伝送のコールフローを描写する。
【図５Ｂ】図４Ａ−５Ｂは、例示的実施形態による、ｍＭＴＣデバイスのための許可不要ＵＬ伝送のコールフローを描写する。
【図６Ａ】図６Ａ−７Ｂは、例示的実施形態による、ＵＲＬＬＣデバイスのための許可不要ＵＬ伝送の別の例示的コールフローを描写する。
【図６Ｂ】図６Ａ−７Ｂは、例示的実施形態による、ＵＲＬＬＣデバイスのための許可不要ＵＬ伝送の別の例示的コールフローを描写する。
【図７Ａ】図６Ａ−７Ｂは、例示的実施形態による、ＵＲＬＬＣデバイスのための許可不要ＵＬ伝送の別の例示的コールフローを描写する。
【図７Ｂ】図６Ａ−７Ｂは、例示的実施形態による、ＵＲＬＬＣデバイスのための許可不要ＵＬ伝送の別の例示的コールフローを描写する。
【図８Ａ】図８Ａ−９Ｂは、例示的実施形態による、ｍＭＴＣデバイスのための許可不要ＵＬ伝送の例示的プロシージャを描写する。
【図８Ｂ】図８Ａ−９Ｂは、例示的実施形態による、ｍＭＴＣデバイスのための許可不要ＵＬ伝送の例示的プロシージャを描写する。
【図９Ａ】図８Ａ−９Ｂは、例示的実施形態による、ｍＭＴＣデバイスのための許可不要ＵＬ伝送の例示的プロシージャを描写する。
【図９Ｂ】図８Ａ−９Ｂは、例示的実施形態による、ｍＭＴＣデバイスのための許可不要ＵＬ伝送の例示的プロシージャを描写する。
【図１０Ａ】図１０Ａ−１１Ｂは、例示的実施形態による、ＵＲＬＬＣデバイスのための許可不要ＵＬ伝送の例示的プロシージャを描写する。
【図１０Ｂ】図１０Ａ−１１Ｂは、例示的実施形態による、ＵＲＬＬＣデバイスのための許可不要ＵＬ伝送の例示的プロシージャを描写する。
【図１１Ａ】図１０Ａ−１１Ｂは、例示的実施形態による、ＵＲＬＬＣデバイスのための許可不要ＵＬ伝送の例示的プロシージャを描写する。
【図１１Ｂ】図１０Ａ−１１Ｂは、例示的実施形態による、ＵＲＬＬＣデバイスのための許可不要ＵＬ伝送の例示的プロシージャを描写する。
【図１２】図１２は、例示的高レベルネットワークスライシングアーキテクチャを図示する。
【図１３】図１３は、例示的実施形態による、アイドルモードのＵＥによる初期ネットワークスライス発見および選択のためのコールフローである。
【図１４】図１４は、例示的実施形態による、接続モードのＵＥによる初期ネットワークスライス発見および選択のためのコールフローである。
【図１５】図１５は、無線アクセスネットワーク（ＲＡＮ）ベースの接続モード初期ネットワークスライス発見および選択のためのコールフローである。
【図１６】図１６は、例示的実施形態による、コアネットワーク（ＣＮ）ベースの接続モード初期ネットワークスライス発見および選択のためのコールフローである。
【図１７】図１７は、例示的実施形態による、ＵＥベースの接続モード追加のネットワークスライス発見および選択のためのコールフローである。
【図１８】図１８は、例示的実施形態による、ＲＡＮベースの接続モード追加のネットワークスライス発見および選択のためのコールフローである。
【図１９】図１９は、例示的実施形態による、ＣＮベースの接続モード追加のネットワークスライス発見および選択のためのコールフローである。
【図２０Ａ】図２０Ａおよび２０Ｂは、例示的実施形態による、登録および許可不要設定のための例示的コールフローを描写する。
【図２０Ｂ】図２０Ａおよび２０Ｂは、例示的実施形態による、登録および許可不要設定のための例示的コールフローを描写する。
【図２１Ａ】図２１Ａおよび２１Ｂは、例示的実施形態による、ＵＲＬＬＣデバイスのための許可不要および許可ＵＬ伝送の例示的コールフローを描写する。
【図２１Ｂ】図２１Ａおよび２１Ｂは、例示的実施形態による、ＵＲＬＬＣデバイスのための許可不要および許可ＵＬ伝送の例示的コールフローを描写する。
【図２２Ａ】図２２Ａおよび２２Ｂは、例示的実施形態による、ｍＭＴＣデバイスのための許可不要および許可ＵＬ伝送の例示的コールフローを描写する。
【図２２Ｂ】図２２Ａおよび２２Ｂは、例示的実施形態による、ｍＭＴＣデバイスのための許可不要および許可ＵＬ伝送の例示的コールフローを描写する。
【図２３】図２３は、例示的実施形態による、ＵＥ構成のための例示的グラフィカルユーザインターフェース（ＧＵＩ）の略図である。
【図２４Ａ】図２４Ａは、本明細書に説明および請求される方法ならびに装置が具現化され得る例示的通信システムの一実施形態を図示する。
【図２４Ｂ】図２４Ｂは、本明細書に図示される実施形態による、無線通信のために構成される例示的装置またはデバイスのブロック図である。
【図２４Ｃ】図２４Ｃは、例示的実施形態による、例示的無線アクセスネットワーク（ＲＡＮ）およびコアネットワークの系統図である。
【図２４Ｄ】図２４Ｄは、別の実施形態による、ＲＡＮおよびコアネットワークの別の系統図である。
【図２４Ｅ】図２４Ｅは、別の実施形態による、ＲＡＮおよびコアネットワークの別の系統図である。
【図２４Ｆ】図２４Ｆは、図２４Ａ、２４Ｃ、２４Ｄ、および２４Ｅに図示される通信ネットワークの１つ以上の装置が具現化され得る例示的コンピューティングシステム９０のブロック図である。
【発明を実施するための形態】
【００１１】
上で説明されるように、ネットワークスライシングは、以前のネットワークと比較して、新しい無線（ＮＲ）または５Ｇネットワークのための差別化要因である。ネットワークスライシングは、各ネットワークが、互いと類似特性を共有し得る具体的サービスまたはアプリケーションに対応する、要件の具体的セットのために最適化されるように設計されることができるように、ネットワークがいくつかのネットワークに事実上分割されることを可能にし得る。図３は、ＵＥ３０２がネットワーク３０６から複数のサービス３０４ａ−ｃを同時に取得することを可能にする、ネットワークスライシングのための例示的ユースケースを図示する。
【００１２】
図示されるユースケースによると、ＵＥ３０２は、電源を入れ、アイドルモードに留まって無線／セル検索を実施し得る。セルが選択されると、ＵＥ３０２は、データネットワーク３１０にアクセスする前にセルによって提供される、ネットワークスライスのリスト、例えば、スライス３０８ａ−ｃを獲得し得る。例では、ＵＥ３０２は、ＵＥのデバイスタイプ（例えば、ＩｏＴデバイス、スマートフォン等）に依存し得るデフォルトネットワークスライスを選択し得る。本デフォルト選択は、本明細書でさらに説明される、アイドルモードネットワークスライス発見および選択の例を表す。
【００１３】
例によると、ビデオストリーミングプレーヤ（ＡＰＰ１）が、ＵＥ３０２において起動され、初期サービス要求を開始する。アイドルモードの選択されたデフォルトスライスが要求の要件を満たさない場合、ＵＥ３０２は、接続モードになってもよく、本明細書でさらに説明されるように、初期ネットワークスライス要求のための接続モードネットワークスライス発見および選択を開始する。さらなる例として、心拍監視アプリケーション（ＡＰＰ２）および遠隔機械アプリケーション（ＡＰＰ３）は、ＡＰＰ１が起動されることに続いて、ＵＥ３０２において起動され、それは、本明細書でさらに説明されるように、追加のネットワークスライス要求のための接続モードネットワークスライス発見および選択につながり得る。例では、心拍監視アプリケーションは、例えば、ユーザの健康な状態が変化するとき、小さいパケットを低頻度で送信し得る。さらなる例として、遠隔機械アプリケーションは、ユーザが現場にいる必要がないように、重機（例えば、鉱山の掘削機および森林の木材処理機）の遠隔制御をサポートし得る。
【００１４】
例示的ユースケースから、とりわけ、ネットワークスライス発見および選択の種々の実施形態が、所与のＵＥによって要求される種々のサービス、また、種々のタイプのデバイス（例えば、ＵＲＬＬＣ、ｅＭＢＢ、およびｍＭＴＣ）にも適用され得ることが、本明細書では認識される。例示的実施形態では、アイドルモードネットワークスライス発見および選択が実施される。別の例では、接続モードネットワークスライス発見および選択が、初期ネットワークスライス要求のために実施される。さらに別の例では、接続モードネットワークスライス発見および選択が、追加のネットワークスライス要求のために実施される。ある場合、ユーザ機器は、電源を入れた後にアイドルモードまたは接続モードであり得、したがって、アイドルモードネットワークスライス発見および選択は、ＵＥがアイドルモードであるとき、ネットワークスライスを発見および選択するステップを指し、接続モードネットワークスライス発見および選択は、ＵＥが接続モードであるとき、ネットワークスライスを発見および選択するステップを指す。アイドルモードは、概して、ＵＥが低電力モードであり、データを転送しない状態を指す。アイドルモードでは、所与のＵＥが、ページング通知またはシステム情報メッセージ等の制御トラフィックをリッスンし得る。接続モードは、概して、ＵＥがコンテキスト情報を交換しており、それによって、無線アクセスネットワークと接続を確立する、状態を指す。接続モードでは、ＵＥは、高電力状態であり得、それぞれ、ＲＡＮノードにデータを送信する、およびそこから受信する用意があり得る。
【００１５】
ここで図４Ａ−５Ｂを参照すると、ｍＭＴＣ  ＵＥ２５０２と、ＮＲノード２５０４と、コアネットワーク（ＣＮ）２５０６とを含む例示的システム２５００が示されている。ＮＲノード２５０４は、ＲＡＮスライス管理機能または装置（ノード）２５０８と、ｍＭＴＣスライス２５１０とを備えている。ＣＮ２５０６は、ＣＮスライス管理機能または装置（ノード）２５１２と、ｍＭＴＣスライス２５１４とを含む。ｍＭＴＣ２５１４は、モビリティ管理ノードまたは装置２５１６と、ゲートウェイ２５１８（例えば、ＳＷＧ、ＰＧＷ）と、サブスクリプション管理機能または装置（ノード）２５２０（例えば、ＨＳＳ）とを含み得る。例示的システム２５００は、開示される主題の説明を促進するために簡略化され、本開示の範囲を限定することを意図しないことが理解されるであろう。他のデバイス、システム、および構成は、図４Ａ−５Ｂに図示されるシステム等のシステムに加えて、またはその代わりに、本明細書に開示される実施形態を実装するために使用され得、全てのそのような実施形態は、本開示の範囲内として考慮される。
【００１６】
特に図４Ａを参照すると、１では、図示される例によると、電源を入れた後のＵＥ２５０２。電力供給後、ＵＥ２５０２は、セル検索および同期化を行ってもよく、次いで、ＵＥは、例えば、ＭＩＢおよびＳＩＢからシステム情報を獲得し得る。２では、ＵＥ２５０２は、無線接続要求をＮＲノード２５０４に送信する。具体的には、ＵＥは、無線接続要求メッセージをＲＡＮスライシング管理装置２５０８（２Ａにおいて）（例えば、ネットワーク選択スライス）またはｍＭＴＣスライス２５１０（２Ｂにおいて）（例えば、ネットワーク選択スライス）に送信し得る。要求は、ネットワークまたはＮＲノード２５０４におけるＵＥ選択ＲＡＮスライス２５１０へのアクセスに対する要求であり得る。要求は、ＵＥ２５０２に関連付けられる種々のコンテキスト情報を含み得る。コンテキスト情報は、例えば、限定ではないが、ＵＥ２５０２のデバイスタイプ（例えば、ｍＭＴＣ、ＵＲＬＬＣ）、ＵＥ２５０２に関連付けられるサービス（例えば、森林火災監視または交通監視）、待ち時間要件（例えば、１００ミリ秒または０．５ミリ秒の超低待ち時間）、データトラフィックコンテキスト（例えば、データパケットサイズまたはデータレート）、トラフィックタイプ（例えば、非ＩＰまたはＩＰベース）、ＵＥ２５０２に関連付けられるモビリティコンテキスト（例えば、静的、歩行者、車両）、ＵＥ２５０２からのデータ伝送の計画されたスケジュール、ＵＥ２５０２によって実施されることができるアクセスのタイプ（例えば、許可アクセス、許可不要アクセス、または許可と許可不要との間で切り替わるアクセス）を含み得る。ある場合、動作３、４、および５は、ＵＥがスライス２５１０を選択する場合、実施されない。
【００１７】
ある場合、例えば、ＵＥ２５０２がスライスを選択しないとき、ＲＡＮスライシング管理２５０８は、３Ａにおいて、例えば、２Ａにおける要求の中のＵＥコンテキストに基づいて、ＵＥの無線アクセススライスとしてスライス２５１０を選択する。選択は、ＲＡＮトラフィック負荷およびリソース配分にさらに基づき得る。４Ａでは、図示される例によると、ＲＡＮスライシング管理２５０８は、ＲＡＮスライス接続要求を、選択されたｍＭＴＣスライス２５１０に送信する。要求は、無線接続がＵＥ２５０２とｍＭＴＣスライス２５１０との間に確立されることができるように、２ＡからのＵＥのコンテキストの全てまたは一部をさらに転送し得る。５Ａでは、ｍＭＴＣスライス５１０は、ＲＡＮスライス接続応答をＲＡＮスライシング管理２５０８に送信し得る。応答は、スライス接続要求が受け入れられたかどうかを示し得る。要求が拒否された場合、拒否の１つ以上の理由が、応答メッセージの中に含まれ得る。
【００１８】
６では、図示される例によると、ＲＡＮスライシング管理２５０８（６Ａにおいて）またはｍＭＴＲＣスライス２５１０（６Ｂにおいて）は、ＲＡＮスライス接続応答をＵＥ２５０２に送信する。このメッセージでは、ＲＡＮスライス管理２５０８またはＲＡＮ  ｍＭＴＣスライス２５１０は、無線接続要求が受け入れられたかどうかを確認し得る。要求が拒否された場合、拒否の１つ以上の理由も、応答メッセージの中に含まれ得る。図示される例では、ＵＥ２５０２は、ｍＭＴＣスライス２５１０との成功した無線接続が確立されているという確認を受信する。７では、ＵＥは、登録要求をＲＡＮスライシング管理２５０８（７Ａにおいて）またはＲＡＮ  ｍＭＴＣスライス２５１０（７Ｂにおいて）に送信し得る。登録要求は、コアネットワーク（ＣＮ）２５０６との保護されたサービス接続を確立するために送信され得る。
【００１９】
ここで図４Ｂを参照すると、８では、登録要求は、ＣＮスライシング管理装置２５１２（８Ｃおよび８Ｃ’）またはＣＮ  ｍＭＴＣスライス２５１４（８Ｄおよび８Ｄ’）に送信される。要求は、ＲＡＮスライシング管理２５０８（８Ｃおよび８Ｄ）またはｍＭＴＣスライス２５１０（８Ｃ’および８Ｄ’）によって送信され得る。要求は、ＵＥに関連付けられるコンテキスト情報、例えば、スライスＩＤ等のｍＭＴＣスライス２５１０に関連付けられる情報を含み得る。ある場合、ここで説明される、動作９および１０は、ＮＲノード２５０４がＣＮスライス２５１４を選択する場合、省略される。９Ｃでは、図示される例によると、ＣＮスライシング管理装置２５１２は、例えば、ＵＥコンテキスト、ＲＡＮ  ｍＭＴＣスライス２５１０、ＣＮ２５０６のトラフィック負荷、利用可能なｍＭＴＣスライス等に基づいて、ｍＭＴＣ  非ＩＰまたはＩＰトラフィックスライス２５１４を選択する。１０Ｃでは、図示される例によると、ＣＮスライシング管理ノード２５１２は、登録要求をモビリティ管理ノード２５１６に送信する。登録要求は、ＵＥのコンテキスト情報およびＲＡＮ  ｍＭＴＣスライス２５１０に関連付けられる情報を含み得る。
【００２０】
ここで図５Ａを参照すると、図示される例を続けて、１１では、モビリティ管理ノード２５１６は、サービスへのアクセスに対してＵＥ２５０２を認証するように、サブスクリプション管理ノード２５２０とメッセージを交換する。認証後、１２では、モビリティ管理ノード２５１６は、ＵＥ２５０２およびモビリティ管理ノード２５１６が、互いを相互認証するように、ＵＥ２５０２とメッセージを交換し、それらの間で保護されたモードを確立する。１３では、図示される例によると、モビリティ管理ノード２５１６は、ＵＥ２５０２の場所が更新されるように、サブスクリプション管理ノード２５２０とメッセージを交換し得る。場所更新：モビリティ管理は、場所更新のためにサブスクリプション管理とメッセージを交換する。１４では、非ＩＰまたはＩＰセッションが、ＲＡＮ  ｍＭＴＣスライス２５１０とＣＮ  ｍＭＴＣスライス２５１４との間に確立され得る。ＩＰセッションは、ＣＮ  ｍＭＴＣスライス２５１４内にも確立され得る。
【００２１】
図５Ａを続けて参照して、図示される例によると、１５では、許可不要動作が設定される。ＮＲノード２５０４、具体的には、ＲＡＮ  ｍＭＴＣスライス２５１０は、例えば、本明細書に説明される許可不要動作パラメータを構成するためにＵＥ２５０２とメッセージを交換し得る。例示的パラメータは、限定ではないが、以下を含む：コンテンションアクセス配分パラメータ；許可不要構成パラメータ（例えば、ＤＡＣＴＩ、ＣＴＩ、ＤＣＡ、ＵＡＰ、ＧＬＵＣＩ等）；コードドメイン多重アクセスのための直交コードのシードまたはインデックス；優先衝突回避コンテンションアクセスのためのランダムバックオフのシードまたは値；確実な伝送のための冗長性パラメータ；（例えば、ページのため、またはシステム情報変更のためのブロードキャスティングチャネルをリッスンするため、無線リンク管理のための測定を行うため、到達可能性およびモビリティ等に関連するステータスを更新するための）非アクティブ状態におけるタイマ；許可不要電力制御値（例えば、少なくとも部分的に、ＵＥ２５０２とＮＲノード２５０４との間の上で説明されるメッセージ交換中のパスロスおよび要求される受信信号品質に基づいて、ＮＲノード２５０４によって計算され得る最小および最大ＵＬ伝送電力レベルならびに漸増的調節）；許可不要ＵＬ伝送のためのスケジュールに関連するパラメータ、符号化レート、変調方式等。
【００２２】
１６Ａでは、図示される例によると、ＵＥ２５０２は、物理層と比較してＵＥ２５０２の上位層と許可不要構成（配分）を確認する。代替として、または加えて、ＵＥ２５０２は、ＮＲノード２５０４、具体的には、ＲＡＮスライシング管理ノード２５０８（１６Ｂにおいて）またはｍＭＴＣスライス２５１０（１６Ｃにおいて）と許可不要設定を確認し得る。故に、ＵＥ２５０２は、上位層から、またはＮＲノード２５０４から、「許可不要」動作モードに入るコマンドを受信し得る。１７では、ＵＥ２５０２は、許可不要動作モードの非アクティブ状態に入る。非アクティブ状態は、事前構成され得る。ある場合、非アクティブ状態は、登録後に許可不要モードで動作するための上位層またはＮＲノードのコマンドによってトリガされ得る。ある場合、ＵＥ２５０２は、そうするように構成されている場合、許可不要動作モードで自動的に非アクティブ状態に入り得る。１８では、図示される例によると、ＵＥ２５０２は、それがＵＬ伝送で伝送する必要があるデータを上位層から受信する。例示的データは、限定ではないが、「キープアライブ」小規模データ、測定データ、ＵＥ２５０２の到達可能性およびモビリティステータスに関連付けられるデータ等を含む。１９では、ＵＥ２５０２は、ブロードキャストチャネル上のシステム情報をチェックする必要があり得る。さらなる一例として、１９では、ＵＥ２５０２は、無線リンク測定を行う必要、またはシステム情報もしくは無線リンク測定の結果に基づいて新しいセルを選択する必要があり得る。２０では、図示される例によると、ＵＥ２５０２は、コンテンションアクセスエリアを配分するために、シンボルタイミング境界において、参照信号または利用可能な同期化パイロット（例えば、第１の利用可能な同期化パイロット）と同期する。
【００２３】
２１では、図示される例によると、ＵＥ２５０２は、許可不要ＵＬ伝送を、ＮＲノード２５０４、具体的には、ＲＡＮ  ｍＭＴＣスライス２５１０に送信する。ある場合、ＵＥ２５０２は、許可不要設定段階で（１５において）定義され得るか、またはシステム情報ブロードキャスティングもしくはＲＲＣシグナリングを介してＮＲノード２５０４によってシグナリングされ得る初期ＵＬ伝送電力において（冗長バージョンを伴わない）許可不要ＵＬ伝送のためのコンテンションアクセスを行い得る。ある場合、ＵＥ２５０２は、確認応答（ＡＣＫ）が伝送電力レベルにおけるこの伝送に対して要求されるかどうかを示し得る。ＵＥ２５０２は、２１におけるＵＬデータ伝送と共に、無線リンク測定、到達可能性もしくはモビリティステータス、または他の情報も含み得る。２２では、ＵＥ２５０２は、ｍＭＴＣスライス２５１０から、そのＵＬ伝送へのＡＣＫ応答を待ち得る。ＵＥ２５０２は、例えば、ＡＣＫが要求される場合、ＡＣＫタイマが満了するまで待ち得る。２３では、例によると、ＵＥ２５０２は、ＵＬメッセージの再伝送を行う。ＵＥ２５０２は、例えば、確実な伝送がその許可不要ＵＬデータに要求される場合、再度、コンテンションアクセスを行い得る。２４では、図示される例によると、ＮＲノード２５０４、具体的には、ｍＭＴＣスライス２５１０は、ＵＥ２５０２からのＵＬ伝送が正常に受信されたことを示すＡＣＫメッセージをＵＥ２５０２に送信する。２４におけるメッセージは、ＵＥの次の許可不要ＵＬ伝送のための電力調節値も含み、それによって、準閉ループ電力制御を提供し得る。２５では、ＵＥ２５０２は、許可不要動作モードの非アクティブ状態に入り得る。非アクティブ状態は、概して、ＵＥが伝送していない状態を指す。非アクティブ状態は、事前構成されるか、または、許可不要ＵＬ伝送後に上位層のコマンドによってトリガされ得る。非アクティブ状態は、例えば、ＡＣＫが伝送に対して要求されているとき、ＵＥ２５０２がＮＲノード２５０２からＡＣＫを受信するとき、トリガされ得る。ある場合、ＵＥ２５０２は、例えば、ＵＥ２５０２がそうするように構成される場合、許可不要ＵＬ伝送後、自動的に非アクティブ状態に入り得る。
【００２４】
図６Ａ−７Ｂも参照すると、ＵＲＬＬＣデバイスのための許可不要ＵＬ伝送の例が、図示されている。ＵＲＬＬＣ  ＵＥ２７０２と、ＮＲノード２７０４と、コアネットワーク（ＣＮ）２７０６とを含む例示的システム２７００が示されている。ＮＲノード２７０４は、ＲＡＮスライス管理機能または装置（ノード）２７０８と、ＲＡＮ  ＵＲＬＬＣスライス２７１０とを備えている。ＣＮ２７０６は、ＣＮスライス管理機能または装置（ノード）２７１２と、ＵＲＬＬＣスライス２７１４とを含む。ＵＲＬＬＣスライス２７１４は、モビリティ管理ノードまたは装置２７１６と、１つ以上のゲートウェイ２７１８（例えば、ＳＷＧ、ＰＧＷ）と、サブスクリプション管理機能または装置（ノード）２７２０（例えば、ＨＳＳ）とを含み得る。例示的システム２７００は、開示される主題の説明を促進するために簡略化され、本開示の範囲を限定することを意図しないことが理解されるであろう。他のデバイス、システム、および構成は、図６Ａ−７Ｂに図示されるシステム等のシステムに加えて、またはその代わりに、本明細書に開示される実施形態を実装するために使用され得、全てのそのような実施形態は、本開示の範囲内として考慮される。
【００２５】
図６Ａ−７Ｂに図示されるＵＲＬＬＣデバイスの例示的実施形態は、上で説明されるｍＭＴＣデバイスの例示的実施形態に類似し得、したがって、類似動作が、図４Ａ−５Ｂを参照して説明される。しかしながら、ＵＲＬＬＣデバイスに関して、ＵＥ２７０２に関連付けられるコンテキスト情報は、ＵＥ２７０２が許可および許可不要動作の間で切り替わり得ることを示す値を含み得る。さらに、ｅＭＢＢ／ＵＲＬＬＣスライスが、全体的システムリソース利用を最適化するために、ＮＲノード２７０４において選択され得る。例では、ＵＲＬＬＣスライス２７１４が、システム（コアネットワーク２７０６）２７００にわたって短い待ち時間要件を満たすように選択される。いくつかの例では、ＵＥ２７０２は、冗長性を伴って、その許可不要ＵＬ伝送を行う（例えば、複数のコンテンションブロックにおいて同じまたは異なる冗長性方式を伴う同じまたは異なる許可不要コンテンション空間で複数の伝送を送信する）。一例では、２４では、ＵＥ２７０２は、上位層からコマンドを受信した後、許可不要動作モードから許可動作モードに切り替わる。一例として、ＵＥ２７０２は、許可不要モードから許可動作モードに切り替わり、交通事故の画像をネットワークにアップロードする、交通モニタを含み得る。
【００２６】
ここで図８Ａ−９Ｂを参照すると、例示的システム２５００が示されている。図示される例では、許可不要ＵＬ動作が、ｍＭＴＣデバイス２５０２のために実施される。図示される例によると、ＲＡＮスライシング管理ノード２５０８およびＣＮスライシング管理ノード２５１２は、それぞれ、ＲＡＮおよびＣＮ２５０６内で共通制御機能を果たす論理エンティティであり得る。例えば、ＲＡＮスライシング管理ノード２５０８およびＣＮスライシング管理ノード２５１２は、スライスへのアクセスに対する要求の正当性を立証するためにも使用され得るサービスサブスクリプションおよびポリシ情報を交換し得る。そのような情報は、セキュリティ設定、電力充電パラメータ等を確立するために使用され得る。ＲＡＮスライシング管理ノード２５０８およびＣＮスライシング管理ノード２５１２は、ＵＥ２５０２に関連付けられるコンテキスト情報も交換し得る。そのようなコンテキスト情報は、例えば、モビリティ情報、場所情報、伝送スケジュール情報、データトラフィック情報等を含み得る。コンテキスト情報は、適切な、例えば、最適なスライスが、ＲＡＮおよびＣＮ２５０６内で選択されることを可能にし得る。
【００２７】
モビリティ管理ノード２５１６およびサブスクリプション管理ノード２５２０は、サービスプロバイダに関連付けられるＣＮスライスのための共通機能（スライス共通）を表し得る。ある場合、モビリティ管理ノード２５１６およびサブスクリプション管理ノードは、ＣＮスライシング管理２５０６の一部であり得るか、または示されるように、具体的サービスプロバイダによって提供されるＣＮスライス２５１４の内側の特定の機能（スライス特定）を表し得る。
【００２８】
特に図８Ａおよび８Ｂを参照すると、１では、図示される例によると、ＵＥ２５０２が、電源を入れる。電源を入れた後、ＵＥ２５０２は、セル／ＴＲＰ／スライス検索および同期化を行い得る。ＵＥ２５０２は、ＭＩＢおよびＳＩＢからシステム情報をさらに獲得し得る。この時点で、ある場合、ＵＥ２５０２は、現在のＬＴＥシステムで定義されるようなＥＭＭ登録解除、ＥＣＭアイドル、およびＲＲＣアイドルと類似する状態であり得る。２では、ＵＥ２５０２は、無線接続要求をＲＡＮスライシング管理ノード２５０８（２Ａにおいて）またはｍＭＴＣスライス２５１０（２Ｂにおいて）に送信し得る。要求は、例えば、限定ではないが、以下を含み得る：デバイスタイプ（例えば、ｍＭＴＣまたはＵＲＬＬＣ）、サービス（例えば、森林火災監視または交通監視のためのサービス）、待ち時間要件（例えば、１００ミリ秒または０．５ミリ秒の超低待ち時間）、データトラフィックに関連するコンテキスト（例えば、データパケットサイズおよび／またはデータレートならびに／もしくはデューティサイクル）、ＣＮトラフィックタイプ（例えば、非ＩＰまたはＩＰベース）、モビリティコンテキスト（例えば、静的、歩行者、または車両、もしくは限定エリア内の低速等）、場所コンテキスト（例えば、ＲＡＮにおけるＵＥ追跡エリア）、スケジュールコンテキスト（例えば、データ伝送のスケジュール）、アクセスコンテキスト（例えば、許可または許可不要アクセス、許可と許可不要との間で切り替え可能であるかどうか、アクセス優先順位等）等のＵＥ２５０２に関連付けられる種々のコンテキスト情報。ある場合、動作４および５は、例えば、ＵＥ２５０２がＲＡＮスライス２５１０を選択する場合、実施されない。
【００２９】
３Ａでは、ＲＡＮスライシング管理ノード２５０８は、ＲＡＮスライス２５１０を選択し得る。選択は、少なくとも部分的に、ＵＥ２５０２に関連付けられるコンテキスト情報、種々のＲＡＮスライスにおけるトラフィック負荷およびリソース配分、関連サービスプロファイルもしくはサブスクリプション、課金ポリシ等に基づき得る。情報は、ＮＲノード２５０４において記憶され得るか、またはＣＮ２５０６上のＣＮスライシング管理ノード２５１２および／もしくはサブスクリプション管理エンティティ２５２０を介してＣＮ２５０６から受信され得る。３Ａでは、ＲＡＮスライシング管理２５０８は、ＵＥ２５１０のための無線アクセススライスとして、ｍＭＴＣスライス２５１０を選択する。３Ｂでは、ＲＡＮスライス３５１０は、ＲＡＮ選択またはＵＥ選択ＲＡＮスライス３５１０に対するＵＥの接続要求を受け入れることを決定し得る。４Ａでは、ＲＡＮスライシング管理２５０８は、ＲＡＮスライス接続要求をｍＭＴＣスライス２５１０に送信し得る。接続要求は、無線接続がＵＥ２５０２とスライス２５１０との間に確立されることができるように、ＵＥ２５０２に関連付けられるコンテキスト情報を含み得る。５Ａでは、図示される例によると、ｍＭＴＣスライス２５１０は、ＲＡＮスライス接続応答をＲＡＮスライシング管理２５０８に送信する。応答は、スライス接続要求が受け入れられたかどうかを示し得る。要求が拒否された場合、拒否の理由が、応答メッセージの中に含まれ得る。要求が受け入れられた場合、選択されたＲＡＮスライス２５１０のための無線構成パラメータ（例えば、ＵＥ２５０２のためのＳＲＢ１様および／またはＤＢＲ様専用無線リソース構成）が、応答の中に含まれ得る。
【００３０】
依然として図８Ａおよび８Ｂを参照すると、６では、図示される例によると、ＲＡＮスライシング管理２５０８（６Ａにおいて）またはｍＭＴＣスライス２５１０（６Ｂにおいて）は、無線接続応答をＵＥ２５０２に送信する。応答は、無線接続がＲＡＮスライス管理２５０８またはＲＡＮ  ｍＭＴＣスライス２５１０によって確認されていることを示し得る。選択されたＲＡＮスライス２５１０に関する要求が拒否された場合、拒否の理由も、応答メッセージの中に含まれ得る。要求が受け入れられた場合、選択されたＲＡＮスライス２５１０のための無線構成パラメータ（例えば、ＵＥ２５０２のためのＳＲＢ１様および／またはＤＢＲ様専用無線リソース構成）が、応答の中に含まれ得る。ある場合、ＲＡＮスライシング管理２５０８または選択されたＲＡＮスライス２５１０は、ＵＥ２５０２専用であるＳＢＲ１および／またはＤＲＢリソース（例えば、ＳＲＢならびに／もしくはＤＲＢ構成）を（例えば、応答メッセージ内で）送信し得る。したがって、ＵＥ２５０２は、選択されたＲＡＮスライス２５１０とのＮＡＳ接続であり得るｍＭＴＣスライス２５１０との成功した無線接続を有するものとして確認され得る。７では、図示される例によると、ＵＥ２５０２は、登録要求をＲＡＮスライシング管理２５０８（７Ａにおいて）またはＲＡＮ  ｍＭＴＣスライス２５１０（７Ｂにおいて）に送信し得る。登録要求は、ＮＡＳ層において送信され得、選択されたＲＡＮスライス２５１によって指示されるような無線構成も含み得る無線接続完了メッセージの中にカプセル化され得る。ＲＡＮスライシング管理２５０８は、登録要求をＣＮスライシング管理２５１２（８Ａにおいて）またはモビリティ管理２５１６（８Ｄにおいて）に送信し得る。代替として、ＲＡＮ  ｍＭＴＣスライス２５１０は、登録要求をモビリティ管理２５１６（８Ｄ’において）に送信し得る。登録要求は、スライス２５１２がＮＲノード２５１０によって選択された場合、モビリティ管理２５１６に送信され得る。いくつかの例では、登録要求は、ＲＡＮスライス２５１０が（８Ｂにおいて）ＵＥ２５０２によって選択された場合、ＣＮスライシング管理２５１２に送信され得る。登録要求は、ＵＥに関連付けられるコンテキスト情報と、ｍＭＴＣスライス２５１０に関連付けられるスライス情報（例えば、ＩＤ）とを含み得る。
【００３１】
いくつかの例では、ＮＲノード２５０４またはＣＮ２５０６は、ＵＥ２５０２に関連付けられる種々のコンテキスト情報に基づいて、ＣＮスライス２５１４を選択し得る。例えば、ＣＮスライス選択は、少なくとも部分的に、ＲＡＮスライシング管理２５０８またはＮＲノード２５０８内のＲＡＮスライス２５１０によって割り当てられるＵＥのＩＤ、ＵＥ２５０２のタイプ（例えば、ｍＭＴＣまたはＵＲＬＬＣ）、ＵＥ２５０２によって実施されるサービス（例えば、森林火災監視または交通監視）、待ち時間要件（例えば、セッションまたはフローエンドツーエンド遅延のための１００ミリ秒の長い待ち時間もしくは０．５ミリ秒の超低待ち時間）、データトラフィック（例えば、セッションもしくはフローのためのデータビットレートおよび／またはトラフィック負荷）、ルートタイプ（例えば、非ＩＰまたはＩＰベース）、モビリティ（例えば、静的、歩行者、または車両、もしくは限定エリア内の低速等）、場所（例えば、ＬＴＥシステム内のＴＡＩならびにＥＣＧＩ等のネットワーク内のＵＥの追跡および／またはルーティングエリア）、スケジュール（例えば、ＵＬデータ伝送のスケジュール）、課金（例えば、オンラインまたはオフライン課金）等に基づき得る。
【００３２】
ある場合、例えば、ＮＲノード２５０４がＣＮスライス２５１４を選択する場合、動作９および１０は、実施されない。他の場合、９Ｃでは、ＣＮスライス管理２５１２は、ＵＥに関連付けられるコンテキスト情報、ＲＡＮ  ｍＭＴＣスライス２５１０、ＣＮトラフィック負荷、または利用可能なｍＭＴＣスライス等の少なくとも一部に基づいて、ｍＭＴＣ  ＩＰトラフィックスライス（スライス２５１４）を選択する。１０Ｃでは、ＣＮスライシング管理２５０６は、登録要求をモビリティ管理ノード２６１６に送信し得る。登録要求は、ＵＥ２５０２に関連付けられるコンテキスト情報と、ＲＡＮ  ｍＭＴＣスライス２５１０に関連する情報とを含み得る。１０Ｃでは、ある場合、ＵＥ２５０２のＮＡＳ層とモビリティ管理２５１６またはＣＮスライス２５１４との間の接続が、確立される。次いで、ＵＥは、ＬＴＥシステムにおけるＥＭＭ登録、ＥＣＭ接続、およびＲＲＣ接続状態のような種々の状態に移行し得る。
【００３３】
ここで図９Ａを参照すると、１１では、図示される例によると、モビリティ管理２５１６は、要求されたサービスに関してＵＥ２５０２を認証するために、サブスクリプション管理２５２０とメッセージを交換する。交換されたメッセージは、例えば、限定ではないが、ＵＥ  ＩＤ（ＩＭＳＩならびにサービングネットワークＩＤ等）およびコンテキスト、ＲＡＮスライスおよびＣＮスライス情報（ＲＡＮスライスＩＤならびにＣＮスライスＩＤ等）、サービスネットワークＩＤ、ＵＥサービスプロファイルまたはサブスクリプションおよび課金ポリシ、割り当てられたＵＥデフォルトＩＰアドレス等を含み得る。セキュリティキーが、ＣＮ２５０６およびＲＡＮ内で保護された接続を確立するために生成され得る。１２では、サブスクリプション管理２５２０との認証後、モビリティ管理ノード２５１６とＵＥ２５０２とは、メッセージを交換し、互いに相互認証し、次いで、それらの間のＮＡＳシグナリングのための保護されたモードを確立し得る。２３では、図示される例によると、モビリティ管理２５１６およびサブスクリプション管理２５２０は、メッセージを交換し、ＵＥ２５０２に関連付けられる場所を更新する。１４では、図示される例によると、ＩＰまたは非−ＩＰセッションが、ＲＡＮ  ｍＭＴＣスライス２５１０とコアネットワーク２５０６内のＣＮ  ｍＭＴＣスライス２５１４との間のインターフェースおよびにネットワーク接続ベアラを経由して、ＵＥ２５０２とＣＮ２５０６内のモビリティ管理２５１６との間の無線ベアラ上でＣＮ  ｍＭＴＣスライス２５１４内に確立される。
【００３４】
１５では、許可不要動作が設定される。ＮＲノード２５０４、具体的には、ＲＡＮ  ｍＭＴＣスライス２５１０は、メッセージをＵＥ２５０２と交換し、例えば、本明細書に説明される許可不要動作パラメータを構成し得る。例示的パラメータは、限定ではないが、以下を含む：コンテンションアクセス配分パラメータ；アクセス優先順位および／またはコンテンション優先順位；許可不要構成パラメータ（例えば、ＤＡＣＴＩ、ＣＴＩ、ＤＣＡ、ＵＡＰ、ＧＬＵＣＩ等）；コードドメイン多重アクセスのための直交コードのシードまたはインデックス；優先衝突回避コンテンションアクセスのためのランダムバックオフのシードまたは値；確実な伝送のための冗長性パラメータ；（例えば、ページのため、またはシステム情報変更のためのブロードキャスティングチャネルをリッスンするため、無線リンク管理のための測定を行うため、到達可能性およびモビリティ等に関連するステータスを更新するための）非アクティブ状態におけるタイマ；許可不要電力制御値（例えば、少なくとも部分的に、ＵＥ２５０２とＮＲノード２５０４との間の上で説明されるメッセージ交換中のパスロスおよび要求される受信信号品質に基づいて、ＮＲノード２５０４によって計算され得る最小および最大ＵＬ伝送電力レベルならびに漸増的調節）；許可不要ＵＬ伝送のためのスケジュールに関連するパラメータ；符号化レート；変調方式等。１６Ａでは、図示される例によると、ＵＥ２５０２は、物理層と比較してＵＥ２５０２の上位層に許可不要構成（配分）を確認する。代替として、または加えて、ＵＥ２５０２は、ＮＲノード２５０４、具体的には、ＲＡＮスライシング管理ノード２５０８（１６Ｂにおいて）またはｍＭＴＣスライス２５１０（１６Ｃにおいて）に許可不要設定を確認し得る。故に、ＵＥ２５０２は、上位層から、またはＮＲノード２５０４から、「許可不要」動作モードに入るコマンドを受信し得る。
【００３５】
ここで図９Ｂを参照すると、１７では、ＵＥ２５０２は、許可不要動作モードの非アクティブ状態に入る。非アクティブ状態は、事前構成され得る。ある場合、非アクティブ状態は、登録後、許可不要モードで動作するための上位層またはＮＲノードのコマンドによってトリガされ得る。ある場合、ＵＥ２５０２は、そうするように構成される場合、許可不要動作モードで自動的に非アクティブ状態に入り得る。１８では、図示される例によると、ＵＥ２５０２は、それがＵＬ伝送で伝送する必要があるデータを上位層から受信する。例示的データは、限定ではないが、「キープアライブ」小規模データ、測定データ、ＵＥ２５０２の到達可能性およびモビリティステータスに関連付けられるデータ等を含む。１９では、ＵＥ２５０２は、ブロードキャストチャネル上のシステム情報をチェックする必要があり得る。さらなる一例として、１９では、ＵＥ２５０２は、無線リンク測定を行う必要、または、システム情報もしくは無線リンク測定の結果に基づいて新しいセルを選択する必要があり得る。２０では、図示される例によると、ＵＥ２５０２は、コンテンションアクセスエリアを配分するために、シンボルタイミング境界において、参照信号または利用可能な同期化パイロット（例えば、第１の利用可能な同期化パイロット）と同期する。ＵＥ２５０２は、２０において、許可不要ＵＬ同期化のためのタイムアドバンス（ＴＡ）を推定し得る。さらに、ＵＥ２５０２は、ＵＬ伝送のために、受信されたＤＬ参照信号を使用して、伝送電力（ＴＰ）レベルを推定し得る。
【００３６】
２１では、図示される例によると、ＵＥ２５０２は、許可不要ＵＬ伝送を、ＮＲノード２５０４、具体的には、ＲＡＮ  ｍＭＴＣスライス２５１０に送信する。ある場合、ＵＥ２５０２は、初期ＵＬ伝送電力において（冗長バージョンを伴わない）許可不要ＵＬ伝送のためのコンテンションアクセスを行い得、初期ＵＬ伝送電力は、許可不要設定段階で（１５において）定義され得る、またはシステム情報ブロードキャスティングもしくはＲＲＣシグナリングを介してＮＲノード２５０４によってシグナリングされ得る。ある場合、ＵＥ２５０２は、確認応答（ＡＣＫ）が伝送電力レベルにおけるこの伝送に対して要求されるかどうかを示し得る。ＵＥ２５０２は、２１におけるＵＬデータ伝送と共に、無線リンク測定、到達可能性もしくはモビリティステータス、または他の情報も含み得る。２２では、ＵＥ２５０２は、ｍＭＴＣスライス２５１０から、そのＵＬ伝送へのＡＣＫ応答を待ち得る。ＵＥ２５０２は、例えば、ＡＣＫが要求される場合、ＡＣＫタイマが満了するまで待ち得る。２３では、例によると、ＵＥ２５０２は、確実な伝送が要求される場合、調節された（例えば、増加した）ＴＰレベルを用いてＵＬメッセージの再伝送を行う。ＵＥ２５０２は、例えば、確実な伝送がその許可不要ＵＬデータに要求される場合、再度、コンテンションアクセスを行い得る。２４では、図示される例によると、ＮＲノード２５０４、具体的には、ｍＭＴＣスライス２５１０は、ＵＥ２５０２からのＵＬ伝送が正常に受信されたことを示すＡＣＫメッセージをＵＥ２５０２に送信する。２４におけるメッセージは、ＵＥの次の許可不要ＵＬ伝送のための電力調節値も含み、それによって、準閉ループ電力制御を提供し得る。２５では、ＵＥ２５０２は、許可不要動作モードの非アクティブ状態に入り得る。非アクティブ状態は、概して、ＵＥが伝送していない状態を指す。非アクティブ状態は、事前構成されるか、または、許可不要ＵＬ伝送後に上位層のコマンドによってトリガされ得る。非アクティブ状態は、例えば、ＡＣＫが伝送に対して要求される場合、ＵＥ２５０２がＮＲノード２５０２からＡＣＫを受信すると、トリガされ得る。ある場合、ＵＥ２５０２は、例えば、ＵＥ２５０２がそうするように構成される場合、許可不要ＵＬ伝送後、自動的に非アクティブ状態に入り得る。
【００３７】
図１０Ａ−１１Ｂも参照すると、上で説明されるｍＭＴＣデバイスの例示的実施形態に類似し得るＵＲＬＬＣデバイスの例示的実施形態が図示され、したがって、類似動作が、図８Ａ−９Ｂを参照して説明される。しかしながら、ＵＲＬＬＣデバイスに関して、ＵＥ２７０２に関連付けられるコンテキスト情報は、ＵＥ２７０２が許可および許可不要動作の間で切り替わり得ることを示す値を含み得る。さらに、３Ａまたは２Ｂでは、ｅＭＢＢ／ＵＲＬＬＣスライス２７１０が、全体的システムリソース利用を最適化するために、ＮＲノード２７０４において選択され得る。例では、９Ｃまたは８Ｄでは、ＵＲＬＬＣスライス２７１４が、システム（ネットワーク）２７００にわたって短い待ち時間要件を満たすように選択される。いくつかの例では、ＵＥ２７０２は、例えば、同一のデータを感知するための複数のコンテンションブロックを使用することによって、冗長性を伴って、その許可不要ＵＬ伝送を行う。一例では、２４では、ＵＥ２７０２は、上位層からコマンドを受信した後、許可不要動作モードから許可動作モードに切り替わる。一例として、ＵＥ２７０２は、許可不要モードから許可動作モードに切り替わり、交通事故の画像をネットワークにアップロードする交通モニタを含み得る。
【００３８】
ＮＲネットワークでは、異なるＣＮエンティティは、異なるオペレータに属し得、したがって、１つのＣＮエンティティ内の利用可能なネットワークスライスは、別のＣＮエンティティに可視ではない場合があることが本明細書では認識される。ＲＡＮが、選定され得るＣＮエンティティを決定するためにＵＥからのスライス情報を有していない、ある場合、例えば、種々の基準（例えば、ＵＥの基本／デフォルトデバイス／サービスタイプ、負荷バランシングアルゴリズム等）に基づいて、ＲＡＮが所与のＵＥのために選定するための１つ以上のデフォルト／共通ＣＮエンティティが存在し得る。ある場合、デフォルト／共通ＣＮエンティティが割り当てられると、本ＣＮエンティティはさらに、ＵＥのために、ＲＡＮがＵＥスライス要求の後続のルーティングに使用することができる、特別なＣＮエンティティ識別子（ＣＮ−ＩＤ）を配分し得る。
【００３９】
ネットワークスライシングは、モバイルネットワークオペレータ（ＭＮＯ）が、顧客またはアプリケーションのサービス要件を満たすためにネットワークリソースを効率的に配分することを可能にし得るネットワーク管理ツールと見なされ得る。各ＭＮＯは、ネットワークスライスのカスタマイズされたセットを作成し、それらのビジネスおよびサービス必要性を満たし得る。ある事例では、ネットワークスライスは、事前構成され得、他の事例では、ネットワークスライスは、トラフィック需要を満たすように動的に委託または再構成され得る。したがって、ネットワークスライスは、特定の場所および特定の時点で、特定のＭＮＯネットワークに特有であり得る。例えば、再構成されたスライスは、１回構成されるスライス、またはトラフィック需要を満たすように動的に再構成されるスライスを指し得る。
【００４０】
ネットワークスライス選択は、ある場合、ＲＡＮ部分およびＣＮ（ＰＬＭＮ）部分から成ってもよい。いくつかの例では、ＲＡＮスライスは、セル検索／選択段階（例えば、ＳＩＢ）中にＵＥに可視であり得、ＣＮスライスは、ＵＥに可視ではない場合がある。代わりに、ある場合、ＵＥは、ＭＮＯによって提供される差別化されたサービスのための適切なネットワークスライスを選択するために使用されることができる、多次元記述子を提供され得る。提供された記述子（アプリケーション識別子、サービスのタイプ等を含み得る）は、世界的な重要性を有し得る（例えば、全てのＰＬＭＮに有効である）、または局所的な重要性を有し得る（例えば、現在接続されているＰＬＭＮに有効である）。適切なネットワークスライスを決定することは、例えば、限定ではないが、多次元記述子、ＵＥサービスプロファイル、ネットワークトポロジ、ＵＥの現在の場所、時刻、現在のシステム負荷、ＭＮＯポリシ等の複数の要因を考慮し得るＣＮ機能であり得る。ある場合、ネットワークスライス上に記述子をマップすることは、ＣＮ機能である。他の場合では、記述子は、事前構成されたネットワークスライスを識別するためにＲＡＮによって使用されることができる、スライス識別子を含み得る。
【００４１】
例示的ネットワークスライシングシステム１２００が、図１２−１９に示されている。システム１２００は、ＵＥ１２０２と、ＲＡＮ１２０４（例えば、５ＧもしくはＮＲ  ＲＡＮ）と、１つ以上のＣＮエンティティ１−ｙと、１つ以上のデータネットワークＡ−Ｍとを含み得る。ＲＡＮ１２０４は、ＮＲノード（例えば、ｇＮＢ）１２０４ａと、ＴＲＰ１と、１つ以上のＲＡＮスライス１−ｘとを含み得る。ＲＡＮ１２０２は、共通、デフォルト、または基本スライスをＵＥ１２０２に提供し得る。ＣＮエンティティはまた、基本スライスを提供し得る。これに関連して、別様に規定されない限り、共通、デフォルト、および基本は、限定ではないが、同義的に使用され得る。基本スライスの機能性は、所望に応じて変動し得る。ＣＮはまた、１つ以上のＣＮスライス１−ｎを含み得る。例示的システム１２００は、開示される主題の説明を促進するために簡略化され、本開示の範囲を限定することを意図しないことが理解されるであろう。他のデバイス、システム、および構成は、図１２−１９に図示されるシステム等のシステムに加えて、またはその代わりに、本明細書に開示される実施形態を実装するために使用され得、全てのそのような実施形態は、本開示の範囲内として考慮される。
【００４２】
共通スライスに関して、ある場合、共通機能が、複数のネットワークスライスによって共有される。これらの共通ネットワーク機能は、例えば、ＲＡＮおよびコアネットワーク内のネットワークスライスインスタンス（ＮＳＩ）の間で共通動作をサポートする基礎的制御プレーン（ＣＰ）ネットワーク機能を含み得る。例えば、認証および認可は、ＵＥがオペレータのネットワークにアタッチすることができるように、ＵＥを認証および認可するための共通機能である。本機能はまた、ＮＡＳシグナリングのセキュリティおよび完全性保護を提供し得る。ある場合、本機能は、ＣＮ共通スライスの中でのみ適用可能である。モビリティ管理機能は、オペレータのネットワーク内のＵＥ登録（例えば、ＵＥコンテキストの記憶）およびＵＥモビリティサポート（例えば、ＵＥがオペレータのネットワーク内の基地局にわたって移動しているときにモビリティ機能を提供すること）に責任があり得る。ルーティング機能は、ＵＥ  ＮＡＳ／ＡＳメッセージを正しいネットワークスライスインスタンス（ＮＳＩ）にルーティングし得る。例示的ネットワークスライスインスタンス選択機能は、例えば、具体的スライスがＵＥによってすでに要求されていない場合、ＵＥのための適切なスライスを選択し得る。ある場合、共通機能は、全てのスライスに共通しない。例えば、スライス特定の認証および認可機能は、各スライスが異なるレベルのセキュリティを要求するときに要求され得る。代替として、いくつかの機能は、スライスの組に共通し得る。
【００４３】
いくつかの例では、ＵＥは、ＵＥがネットワークとの初期アタッチ／接続を実施し、接続する具体的ネットワークスライスを特定しないとき、１つ以上の初期デフォルトスライスへのアクセスを有する。これらのデフォルトスライスは、所望に応じて、制御プレーン（ＣＰ）機能、ユーザプレーン（ＵＰ）機能、またはそれらの組み合わせを含み得る。ある場合、リダイレクト機能は、例えば、ＵＥが要求するアプリケーションおよびサービスのタイプに応じて、ＰＬＭＮがＵＥを異なるＮＳＩに操向することを可能にする。代替として、または加えて、ＵＥは、少なくとも部分的に、ＵＥのサブスクリプション、オペレータのポリシ等の変更に基づいて、操向され得る。ある場合、リダイレクト機能は、標的ＮＳＩが把握されている場合、現在選択されているＮＳＩがＵＥを別の好適なＮＳＩに直接リダイレクトすることができるように、各具体的ＮＳＩの中に常駐し得る。代替として、リダイレクト機能は、ＮＳＩ選択およびリダイレクトが同一の集中場所で管理されるように、共通スライスの中のみに常駐し得る。
【００４４】
本明細書で使用されるように、別様に規定されない限り、ＮＳＩ−ＩＤは、特定のＭＮＯネットワーク内で、例えば、特定の場所および特定の時点で、特定のネットワークスライスを参照するために使用され得るネットワークスライスインスタンス識別子を指す。本明細書で使用されるように、別様に識別されない限り、ＣＮ−ＩＤは、特定のＣＮエンティティを参照するために使用され得るＣＮエンティティ識別子を指す。本ＩＤを使用することによって、ＲＡＮは、ＮＡＳアップリンクメッセージのルーティングのための規定されたＣＮエンティティの選択をサポートし得る。例えば、ＲＡＮは、ＵＥのＣＮスライス要求メッセージを転送し得る。
【００４５】
本明細書で使用されるように、別様に規定されない限り、ＵＥがネットワークスライスインスタンスを選択するとき、選択は、ＵＥベースと称され得る。同様に、ＲＡＮがネットワークスライスインスタンスを選択し、ＣＮがネットワークスライスインスタンスを選択するとき、スライス選択は、それぞれ、ＲＡＮベースおよびＣＮベースと称され得る。
【００４６】
ある場合、ＵＥは、ＲＡＮおよびＣＮとのアクティブな接続がないとき、アイドルモードである。種々の例は、ＵＥがアイドルモードである、ＵＥベースのネットワークスライス選択に関して議論されていない。例では、ＵＥは、その上層からトラフィック特性、ネットワークからスライス情報を獲得し得る。本情報に基づいて、ＵＥは、アクセスするスライスを決定し得る。
【００４７】
第１の例（図１３の例１）では、ＵＥは、ネットワークにアクセスする前に、スライス情報（例えば、サポートされるサービスタイプ、ＱｏＳパラメータ等）を獲得し得る。例えば、ＲＡＮは、ＳＩＢメッセージを介してスライス情報をブロードキャストし得、ＵＥのためのスライス特定のアクセスリソース（例えば、スライス特定のランダムアクセスリソース）を配分し得る。複数のＲＡＮ／ＲＡＴ／セルがＵＥのセル検索中に利用可能である場合、ＵＥは、接続する好適なＲＡＮ／ＲＡＴ／セルを選定し得る。例えば、ＵＥが選択するＲＡＮ／ＲＡＴ／セルは、最小負荷を有し得る、または最候補ネットワークスライスを提供し得る。ネットワークスライスは、この例では、静的に事前構成され得る。
【００４８】
別の例（図１３の例２）では、所与のＵＥは、ＵＥがＲＡＮと通常の接続（例えば、ＲＲＣ接続）を確立し得るように、ネットワークにアクセスする前にスライス情報を獲得することができない。接続を確立した後、ＵＥは、ＲＡＮによってスライス情報を伴って構成される（例えば、ＲＲＣ構成）ものであり得る。この例では、ネットワークスライスは、トラフィック需要を満たすように動的に委託または再構成され得、したがって、所与のネットワークスライスは、例えば、特定の場所および特定の時点で、特定のＭＮＯネットワークに特有であり得る。
【００４９】
さらに別の例では、所与のＵＥは、低電力モード（例えば、スリープ）であることに起因して、アイドルモードであるが、ＵＥは、以前のネットワーク接続からのスライス情報を保存している。代替として、ＵＥは、例えば、ユーザまたは／およびオペレータによって、スライス情報を伴って事前構成され得る。保存または事前構成されたスライス情報は、有効であり得、したがって、アイドルＵＥは、セル検索を実施することなくスライス情報を獲得し得る。ネットワークスライスは、この例では、静的に事前構成され得る。
【００５０】
ここで図１３を参照すると、ＲＡＮ１２０４内のＴＲＰ１およびＮＲノード１２０４ａは、物理的エンティティまたは装置であり得、スライスは、論理／仮想リソースを表し得ることが理解されるであろう。ある場合、スライス１−ｘは、ＮＲノード１２０４ａおよびＴＲＰ１からの物理リソースを網羅し得る。図示される例によると、スライス１は、その独自の認証および認可機能を有する。
【００５１】
１では、図示される例によると、ＵＥ１２０２は、電源を入れられ、いかなるネットワークとの接続も有していない。これは、アイドルモードに留まり、セル検索を実施する。セル検索中、ＵＥは、選択／再選択されたセルへの同期化を見出して取得し、次いで、ＲＡＮ１２０４によって提供されるスライス情報を含み得るブロードキャストＳＩＢメッセージを受信および復号し得る。例では、スライス情報のフォーマットは、３ＧＰＰ  ＴＲ  ２３．７９９で定義される多次元記述子（ＭＤＤ）に類似し得る。多次元記述子は、限定ではないが、一例として提示される、以下のベクトルのうちの１つ以上のもの、すなわち、アプリケーションＩＤ、スライスタイプ（ＲＡＮまたはＣＮスライス）、有効周期性（例えば、時間、日数等）、サービス記述子（例えば、ｅＭＢＢサービス、ＣｒｉＣ、ｍＭＴＣ）、ＮＳＩ−ＩＤ等を含み得る。ＮＳＩ−ＩＤは、異なるＣＮエンティティ／ＰＬＭＮにわたって標準化および共有されることができる、またはＣＮエンティティ／ＰＬＭＮにつき特有であり得る。２では、ＵＥは、ＲＡＮを選択して接続を確立する。
【００５２】
３では、図示される例１によると、ＵＥ１２０２は、（例えば、ブロードキャストＳＩＢまたはオンデマンドＳＩＢを介して）動作１または２においてＲＡＮからスライス情報を獲得することができる。ＵＥは、例えば、限定ではないが、能力、トラフィック特性、サービスタイプ等のその独自の具体的情報を獲得し得る。スライス情報およびＵＥ特定の情報に基づいて、ＵＥは、アクセスするスライス（例えば、ＲＡＮスライスまたはＣＮスライスもしくは両方）について決定を行う。
【００５３】
ある場合、選択基準は、複数の加重因子から成ってもよい。例えば、リソース共有／単離モデル（例えば、静的、動的等）、スライス内競合レベル、ＣＮエンティティ負荷（利用可能な複数のＣＮエンティティがある場合）、達成可能な帯域幅、平均待ち時間等である。評価されている全ての候補スライスが、ＵＥおよびネットワークの要件を満たし得るが、異なるスライスが、異なる能力および性質を有し得ると仮定されることに留意されたい。例えば、全ての候補スライスにおける待ち時間は、１０ミリ秒の要件を満たすことができるが、いくつかのスライスは、５ミリ秒よりも低い待ち時間の平均値さえも有し得る。
【００５４】
図１３の例１の動作４では、ＮＳＩ−ＩＤが３において決定されると、ＵＥ１２０２は、ＮＳＩ−ＩＤを伴うアクセス要求（例えば、アタッチ要求）を選択されたＲＡＮスライス（図１３のスライス１）に送信し得る。ＵＥ１２０２は、要求メッセージの内側のＲＡＮ  ＮＳＩ−ＩＤをＲＡＮ１２０４に搬送し得る。ＲＡＮ１２０２４は、ＮＳＩ−ＩＤを使用して、同一のＲＡＮエンティティの内側の要求されたＲＡＮスライシングを識別する。別の例では、ＲＡＮ１２０２がスライシング特有のアクセスリソース（例えば、スライシング特有のランダムアクセスリソース）を提供する場合、ＵＥ１２０２は、アクセス要求メッセージの内側でＲＡＮ  ＮＳＩ−ＩＤを搬送しない場合がある。
【００５５】
例１の動作５では、依然として図１３の図１を参照すると、ＵＥ１２０２がＲＡＮスライスにアクセスすることを認証および許可されているかどうかをチェックするように、ＲＡＮスライス識別チェックが実施される。ある場合、それは、共通／デフォルト／基本スライスによって、または選択されたスライスによって行われることができる。本認証が合格すると、ＲＡＮスライスは、マッピングテーブルをチェックし、（ＵＥによって与えられるＣＮ  ＮＳＩ−ＩＤによって規定される場合）具体的ＣＮスライスの要求メッセージがルーティングされるであろうＣＮエンティティを見出し得る。例では、４において要求に含まれるＣＮ  ＮＳＩ−ＩＤがない。別の例では、４において要求に含まれるＣＮ  ＮＳＩ−ＩＤがあるが、ＲＡＮスライス１は、マッピングテーブルの中の対応するスライス（例えば、ＮＳＩ−ＩＤによってインデックス化されるＣＮスライスを有するＣＮエンティティを示す記録のエントリ）を把握しない／見出さない。例えば、ＣＮスライスは、動的に配分され得、ある場合、所与のＣＮ  ＮＳＩ−ＩＤが期限切れになり得るように、ある持続時間にわたって存在するのみである。代替として、要求の中の搬送されたＣＮ  ＮＳＩ−ＩＤは、標準化されたＮＳＩ−ＩＤではない場合があり、したがって、ＮＳＩ−ＩＤによって参照されるＣＮ  ＮＳＩは、以前に訪問されたＣＮエンティティ／ＰＬＭＮによって配分されている場合がある。そのようなＣＮ  ＮＳＩは、限定数のＣＮエンティティ／ＰＬＭＮの中で有効であり、したがって、全てのＣＮエンティティ／ＰＬＭＮに有効ではない場合がある。さらに別の例では、４において要求に含まれるＣＮ  ＮＳＩ−ＩＤがあり、ＲＡＮスライス１は、対応するスライスを把握する。この場合、アクセス要求は、具体的ＣＮエンティティ（ＣＮ１）の中の具体的ＣＮネットワークスライスにルーティングされ得、例示的プロシージャは、動作６に継続し得る。ＲＡＮ１２０４がスライス要求をルーティングする場所（例えば、進むべきＣＮエンティティ）を把握しない、他の例に関して、プロセスは、図１３の例２の動作３に進んでもよい。
【００５６】
依然として図１３を参照すると、例１の６では、ＲＡＮスライス１は、有効な一対のＣＮ−ＩＤおよびＣＮ  ＮＳＩ−ＩＤが見出される、動作５においてマッピングテーブルをチェックした後、アクセス要求（例えば、ＵＥ１２０２から生じたアタッチ要求）をＣＮエンティティ１（ＣＮ１）の中のＣＮスライス１に送信する。図１３の例１の７では、ＣＮスライス１は、例えば、ＵＥのサブスクリプション、オペレータのポリシ等を検証することによって、ＵＥ識別チェックを実施し、ＵＥがＣＮスライス１にアクセスすることを許可されているかどうかを決定する。８では、図１３の図示される例１によると、ＣＮスライス１は、アクセス応答メッセージをＲＡＮスライス１に送信する。９では、ＲＡＮスライス１は、アクセス応答メッセージをＵＥ１２０２に転送する。１０では、応答メッセージは、動作４において開始される要求メッセージが受け入れられる、または拒否されることを示し得る。要求が受け入れられる場合、ＵＥ１２０２は、配分／選択されたＲＡＮスライス（ＲＡＮスライス１）およびＣＮスライス（ＣＮスライス）とのユーザプレーン接続を設定し得る。要求が受け入れられない場合、例では、動作４−９は、再伝送タイマが満了した後に繰り返され得る。または別の例では、動作３−９は、遅延タイマが満了した後、別の選択されたスライスへのアクセス要求が開始されるように、繰り返され得る。なおも代替として、ＵＥ１２０２は、中止し、エラーメッセージをユーザにレンダリングし得る。
【００５７】
図１３の例２に関して、ＴＲＰ１（またはＵＥ１２０２との直接無線リンクを有するネットワークエンティティ）は、ＵＥ１２０２から具体的情報を収集し得る。ＵＥの具体的情報は、例えば、限定ではないが、ＵＥ能力（例えば、アンテナ、周波数等）、ＵＥ１２０２に関連付けられるサービスタイプ（例えば、ｅＭＢＢ、ｍＭＴＣ）、ＵＥ１２０２に関連付けられるトラフィック特性（例えば、リアルタイムビデオ、心拍監視等）、ＵＥ１２０２によって要求されるＱｏＳパラメータ（例えば、スループット、パケット損失比、ジッタ遅延等）、スライスライセンス契約等のスライス選択支援情報を含み得る。スライス選択支援情報はさらに、使用中のＮＧ  ＣＮ  ＮＦを指し示し得、ＵＥが使用することを可能にされるＮＳＩに共通し得る新しい無線または５Ｇの大域的に一意の一時識別（ＮＧＵＴＩ）を含み得る。スライス支援情報はさらに、例えば、ＮＧＵＴＩが利用可能ではないとき、好ましいＰＬＭＮ、またはＵＥに関連付けられる識別（ＵＥ識別）を含み得る。４では、図１３の図示される例２によると、ＴＲＰ１は、ｇＮＢ／ＮＲノード１２０４ａおよび１つ以上のＣＮエンティティと相互作用し、収集されたＵＥ特定の情報に基づいて、ＵＥの要件およびＣＮ／ＰＬＭＮならびにオペレータの要件を満たす、利用可能なネットワークスライスインスタンス（ＲＡＮおよび／またはＣＮ）のリストを獲得する。例では、リストが１つだけのネットワークスライス（１つのＲＡＮスライスまたは１つのＣＮスライス）を含む場合、本ＵＥベースの選択は、ネットワークベースの選択（ＲＡＮまたはＣＮベース）に変化し得る。例２の５では、ＣＮから利用可能なスライス情報を受信すると、ＴＲＰ１は、一対のＣＮ−ＩＤおよび合致するＣＮ  ＮＳＩ−ＩＤの新しい記録がテーブルに添付されるように、マッピングテーブルを更新し得る。ある場合、更新されたマッピングテーブルは、将来のルーティングに使用され得る。
【００５８】
依然として図１３の例２を参照すると、６では、ＵＥ１２０２は、上で説明されるように、利用可能なネットワークスライスインスタンスのリストを伴って構成される。例えば、ＵＥ１２０２は、３ＧＰＰ  ＴＲ  ２３．７９９で定義される多次元記述子（ＭＤＤ）に類似するフォーマットで構成され得る。多次元記述子は、例えば、限定ではないが、アプリケーションＩＤ、スライスタイプ（ＲＡＮまたはＣＮスライス）、有効周期性（例えば、時間、日数等）、サービス記述子（例えば、ｅＭＢＢサービス、ＣｒｉＣ、ｍＭＴＣ）、ＮＳＩ−ＩＤ等の種々のベクトルを含み得る。ＮＳＩ−ＩＤは、異なるＣＮエンティティ／ＰＬＭＮにわたって標準化および共有されることができる、またはＣＮエンティティ／ＰＬＭＮにつき特有であり得る。７では、図１３の例１を参照して上で説明される動作３−１０が、実施され得る。
【００５９】
ここでＵＥ接続モードネットワークスライス発見および選択を参照すると、ＵＥが接続モードであるとき、ネットワークとのアクティブな接続を有する。ＵＥがまだネットワークに関連付けられていない、または接続されていない場合、種々の実施形態に従ってここで詳細に説明されるように、初期ネットワークスライス発見および選択を実施し得る。
【００６０】
図１４を参照して、図示される例によると、ＵＥ１２０２は、事前構成または保存された利用可能なスライス情報の有効なセットを有していないため、ＵＥは、（１において）アクセス要求をＲＡＮ共通／デフォルト／基本スライスに送信し、スライス情報を獲得する。本スライスは、事前にＵＥ１２０２に把握され得る。例では、ＵＥ１２０２は、ＴＲＰ１がＵＥ１２０２の代わりに要求を送信することなく、自力でスライス情報の要求を送信し得る。例えば、ＵＥ１２０２は、明示的なスライス情報要求を送信し得る、または要求は、初期アタッチ応答等の上でピギーバックされ得る。図１３の例２を参照して上で説明される情報等のＵＥ特定の情報が、要求に含まれ得る。ある場合、例えば、ＵＥ１２０２が事前構成または保存された利用可能なスライス情報の有効なセットを有する場合、プロセスは、動作７に進んでもよい。さらに、例では、ＵＥ１２０２がネットワーク１２０４に再アタッチしており、以前に選択されたＮＳＩを再利用することを所望する場合、プロセスは、キャッシュされたＮＳＩ−ＩＤを使用することによって動作８に進んでもよい。
【００６１】
依然として図１４を参照して、２では、図示される例によると、ＲＡＮスライス識別チェックは、ＵＥ１２０２が本ＲＡＮ共通／デフォルト／基本スライスにアクセスすることを認証および許可されているかどうかをチェックするように実施される。３では、ＲＡＮ共通／デフォルト／基本スライスは、ＣＮエンティティのＲＡＮ選択を実施する。ある場合、ＲＡＮ１２０４は、所定の規則／機能または負荷バランシングアルゴリズムに従うことによって、デフォルトＣＮエンティティを選択し得る、または具体的ＣＮエンティティを選択し得る。ＲＡＮ１２０４は、次いで、要求を１つ以上の選択されたＣＮエンティティの共通／デフォルト／基本スライスに転送し得る。４では、例えば、ＵＥのサブスクリプションプロファイルおよび他のスライス選択支援情報（例えば、課金、オペレータのポリシ等）をフェッチすることによって、ＣＮ共通／デフォルト／基本スライスは、ＵＥ１２０２が本ＣＮエンティティ（ＣＮ１）の中のネットワークスライスにアクセスする権限を与えられているかどうかを検証し得る。要求の中で搬送されるスライス選択支援情報（例えば、ＵＥのサービスタイプならびにＱｏＳ要件等）およびＲＡＮ１２０４ならびにＣＮエンティティ１によって提供され得るスライスに関連付けられる利用可能性および性質に基づいて、１つ以上の候補ネットワークスライスの組が、ＵＥ１２０２に関して決定され得る。ある場合、新しいスライスが、作成／配分され得る、または１つ以上の既存のスライスが、種々の要件を満たすように再構成され得る。要求がＣＮ１によって受け入れられる場合、ＣＮ１は、利用可能なスライス情報を含む応答をＲＡＮ１２０４に送信し得る。応答が受け入れられない場合、ＮＡＣＫまたは他の拒否メッセージが、応答として返信され得る。６では、動作５からの応答は、ＵＥ１２０２に転送される。７では、ＵＥ１２０２は、上で説明されるように、動作６において受信されたアクセス応答の中で搬送される候補スライス情報を評価し、情報に基づいて１つ以上のスライスを選択し得る。ＵＥ１２０２は、１つ以上のＲＡＮスライスおよび１つ以上のＣＮスライスを選択し得る。ＵＥ１２０２は、１つ以上のスライスを選択するように加重され得る種々の選択基準を使用し得る。例示的選択基準は、例えば、限定ではないが、リソース共有／単離モデル（例えば、静的、動的等）、スライス内競合レベル、ＣＮエンティティ負荷、達成可能な帯域幅、平均待ち時間等を含み得る。例では、複数の候補スライス、例えば、評価されている全ての候補スライスが、ＵＥの要件およびネットワークの要件を満たし得る。これらの場合において、異なるスライスが、異なる能力および性質を有し得、したがって、選択が、これらの差異に基づいて行われ得る。例えば、全ての候補スライスにおける待ち時間は、１０ミリ秒の要件を満たし得るが、いくつかのスライスは、５ミリ秒よりも低い待ち時間の平均値さえも有し得、他のスライスは、そうではない場合がある。８では、図示される例によると、図１３の例１からの動作４−１０が、実施され得る。
【００６２】
上で説明される種々のＵＥベースの例では、１つ以上の候補利用可能ネットワークスライスインスタンスが、ネットワークによってＵＥに提供され、ＵＥが、アクセスするスライスを決定する。種々の例示的ＲＡＮおよびＣＮベースの選択では、ＵＥの中に常駐しないネットワークスライスインスタンス選択機能（ＮＳＩＳＦ）が、スライス決定を行い得る。ある場合、ＮＳＩＳＦは、ＲＡＮまたはＣＮによって提供され得る。例示的ＲＡＮベースのスライス選択では、ＵＥはここでは、ネットワークのスライス情報を認識している。ＲＡＮは、ＵＥのレポートからトラフィック特性を獲得し得る、またはＵＥは、情報をＲＡＮに明示的に送信し得る。例えば、ＲＡＮは、ネットワークにアクセスするとき、そのトラフィック特性を報告するようにＵＥに命令し得る。ＲＡＮは、ＣＮノードから、または動作および管理ＣＮエンティティからＣＮスライスインスタンスを獲得し得る。初期アクセススライスがＵＥのために意図されない場合、ＲＡＮは、ＵＥを別の標的スライスインスタンスにリダイレクト／ハンドオーバする。ある場合、ＲＡＮは、ＵＥの代わりに決定を行い、適切なスライスインスタンスを選択し得る。
【００６３】
ある場合、図示される例に説明されるように、ＮＳＩＳＦは、ＲＡＮまたはＣＮの共通／デフォルト／基本スライスに含まれ得る。代替として、ＮＳＩＳＦは、ＲＡＮまたはＣＮの中の独立型ノードであり得る（いかなるネットワークスライスとも共同設置されない）。
【００６４】
ここで図１５を参照して、図示される例によると、ＵＥ１２０２がスライス要求をＲＡＮ共通／デフォルト／基本スライスに送信し、スライス認証および認可が実施され、ＲＡＮがＣＮエンティティを選択し、アクセス要求が転送され、候補スライス情報が準備される、図１４の動作０−５が実施され得る。２では、図示される例によると、共通／デフォルト／基本スライスの中のＮＳＩＳＦは、ＵＥ提供およびＣＮ提供スライス選択支援情報に従って、アクセス応答の中で搬送される候補スライス情報の組から、ＵＥのための適切なスライスを選択する。ＣＮ提供情報は、アクセス応答の中で搬送され得る、またはＲＡＮの中でキャッシュもしくは事前構成され得る。３では、アクセス応答は、ＵＥ１２０２に送信され得る。図示される例によると、アクセス応答は、動作２において選択されたＮＳＩに対応する、１つのネットワークスライスインスタンスを含み得る。ある場合、ＲＡＮおよびＣＮスライスは、単一の完全ネットワークスライスインスタンスと見なされる。依然として図１５を参照すると、３では、ＵＥ１２０２は、ＮＳＩ−ＩＤを伴うアクセス要求（例えば、アタッチ要求）を選択されたＲＡＮスライスに送信する。ＵＥ１２０２は、要求メッセージの内側のＲＡＮ  ＮＳＩ−ＩＤをＲＡＮ１２０４に搬送し得る。ＲＡＮ１２０２４は、ＮＳＩ−ＩＤを使用して、同一のＲＡＮエンティティの内側の要求されたＲＡＮスライシングを識別し得る。別の場合、ＲＡＮ１２０２がスライシング特有のアクセスリソース（例えば、スライシング特有のランダムアクセスリソース）を提供する場合、ＵＥ１２０２は、アクセス要求メッセージの内側でＲＡＮ  ＮＳＩ−ＩＤを搬送しない場合がある。動作５では、ＲＡＮスライス識別チェックは、ＵＥがＲＡＮスライスにアクセスすることを認証および許可されているかどうかをチェックするように実施される。本認証が合格すると、ＲＡＮスライスは、マッピングテーブルをチェックし、（例えば、ＵＥによって与えられるＣＮ  ＮＳＩ−ＩＤによって規定される場合）具体的ＣＮスライスの要求メッセージがルーティングされるであろうＣＮエンティティを決定し得る。例（サブケースａ）では、４において要求に含まれるＣＮ  ＮＳＩ−ＩＤがない。別の例（サブケースｂ）では、４において要求に含まれるＣＮ  ＮＳＩ−ＩＤがあるが、ＲＡＮスライス１は、マッピングテーブルの中の対応するスライス（例えば、ＮＳＩ−ＩＤによってインデックス化されるＣＮスライスを有するＣＮエンティティを示す記録のエントリ）を識別することができない。例えば、ＣＮスライスは、動的に配分され得、所与のＣＮ  ＮＳＩ−ＩＤが期限切れになり得るように、ある持続時間にわたって存在するのみである。代替として、別の例として、ＮＳＩ−ＩＤによって参照されるＣＮ  ＮＳＩが、以前に訪問されたＣＮエンティティ／ＰＬＭＮによって配分され、限定数のＣＮエンティティ／ＰＬＭＮの中で有効であるように、要求の中の搬送されたＣＮ  ＮＳＩ−ＩＤは、標準化されたＮＳＩ−ＩＤではない場合がある。なおも別の例（サブケースｃ）では、４において要求に含まれるＣＮ  ＮＳＩ−ＩＤがあり、ＲＡＮスライス１は、対応するスライスを把握する。
【００６５】
例示的サブケースａおよびｂに関して、ＲＡＮは、スライス要求をルーティングする場所（例えば、進むべきＣＮエンティティ）を把握しない場合があり、したがって、プロセスは、５ａ−５ｄに進んでもよい。例示的サブケースｃに関して、アクセス要求は、具体的ＣＮエンティティの中の具体的ＣＮネットワークスライスにルーティングされ得、プロセスは、動作６に進んでもよい。
【００６６】
５ａでは、ＴＲＰ１がＵＥ１２０２からＵＥの具体的情報を収集する、図１３の例２の動作３が実施され得る。５ａでは、通信は、ＴＲＰ１およびＵＥ１２０２の代わりに、ＲＡＮスライス１とＵＥ１２０２との間にあり得る。５ｂでは、ＴＲＰ１が、収集されたＵＥ特定の情報に基づいてｇＮＢ／ＮＲノード１２０４ａおよびＣＮエンティティと相互作用し、利用可能なネットワークスライスインスタンスのリストを獲得する、図１３の例２の動作４が実施され得る。５ｂでは、通信は、ＴＲＰ１、ｇＮＢ／ＮＲ１２０４ａ、およびＵＥ１２０２の代わりに、ＲＡＮスライス１とＵＥ１２０２との間にあり得る。５ｃでは、一対のＣＮ−ＩＤおよび合致するＣＮ  ＮＳＩ−ＩＤの新しい記録が添付されるように、ＴＲＰ１がマッピングテーブルを更新する、図１４の例２の動作５が実施され得る。５ｃでは、ＲＡＮスライス１は、ＴＲＰ１の代わりにマッピングテーブルを更新し得る。６では、図１３の例１の動作６−１０が、実施され得る。
【００６７】
ここで図１６を参照すると、例示的ＣＮベースの選択が描写されている。１では、図１４からの動作０−３が、実施され得る。２では、図示される例によると、ＣＮスライス認証および認可が実施され、ＮＳＩＳＦがスライス選択を実施する。例では、単一のネットワークスライスインスタンスが、ＮＳＩＳＦによってＵＥ１２０２のために選択され得る。ＮＳＩＳＦによって使用される選択基準は、上で説明される選択基準と類似または同一であり得る。３では、選択されたＮＳＩは、ＲＡＮ１２０４に返信される。４では、図１５の動作５ｃが、実施され得る。５では、図１５の動作３−６が、実施され得る。
【００６８】
ここで追加のスライス要求を参照すると、いくつかの例では、ＵＥは、続いて、追加のスライスの発見および選択をもたらす他のサービスを要求し得る。例示的場合（例１）では、ＵＥは、新しいサービス要求をＮＳＩＳＦに直接送信し、新しいスライスが、発見および選択される。ＮＳＩＳＦは、ＵＥベース、ＲＡＮベース、またはＣＮベースのネットワークスライス発見および選択が実施され得るように、ＵＥ、ＲＡＮ、またはＣＮの中に常駐することができる。別の例（例２）では、ＵＥは、新しいサービス要求を現在のサービングスライスに送信し、要求が受け入れられる（新しいサービスの要件が満たされることができる等）。さらに別の例示的な場合（例３）では、ＵＥは、新しいサービス要求を現在のサービングスライスに送信し、要求が受け入れられない（例えば、新しいサービスの要件が満たされることができない、またはＵＥのサブスクリプションもしくはオペレータのポリシに準拠しない等）。応答として、サービングスライスは、拒否メッセージに準拠し得る、または代替的スライスが配分および選択され得るＮＳＩＳＦに要求をリダイレクトし得る。
【００６９】
ここで図１７を参照すると、例１では、１において、ＵＥ１２０２は、新しいサービス要求を、ＮＳＩＳＦが常駐する共通／デフォルト／基本スライスに直接送信する。例１の２では、図１４の動作２−８が、実施され得る。ＵＥが選択され、割り当てられているアクティブなネットワークスライスをすでに有しているため、認証および認可プロシージャは、最適化または省略され得る。例えば、ＵＥコンテキスト／識別およびサブスクリプションプロファイルは、認証プロセスが、例えば、データベース／リポジトリからその情報をフェッチすることなく、より単純かつ高速であり得るように、ＲＡＮまたは／およびＣＮ共通／デフォルト／基本スライスの中に依然として保存／キャッシュされ得る。代替として、ＵＥ１２０２は、認証および認可が省略され得るように、新しいサービス要求の中で搬送されることができるセキュリティ証明書および／または識別を再利用し得る。
【００７０】
図１７に示されるような例２および３では、１において、ＵＥ１２０２は、新しいサービス要求を現在使用しているＲＡＮスライス１に直接送信する。２では、ＲＡＮスライス１は、評価を実施し、ＲＡＮスライス１が新しいサービスを供給することができるかどうかを決定する。評価を実施する際に、ＲＡＮスライス１は、例えば、限定ではないが、ＵＥ能力（例えば、アンテナ、周波数等）、ＵＥに関連付けられるサービスタイプ（例えば、ｅＭＢＢ、ｍＭＴＣ）、ＵＥに関連付けられるトラフィック特性（例えば、リアルタイムビデオ、心拍監視等）、ＱｏＳパラメータ（例えば、スループット、パケット損失比、ジッタ遅延等）等の種々のパラメータを加重し得る。ＲＡＮスライス１はまた、ある場合、チェックし、ＵＥ１２０２の本新しいサービスがＲＡＮスライス１を使用することを許可されているかどうかを決定する。ＲＡＮスライスは、例えば、限定ではないが、ＵＥサブスクリプション、スライスライセンス契約、オペレータのポリシ、課金要件等をチェックし得る。３では、要求が２における評価または／および認可チェックに合格しない場合、プロセスは、拒否応答がＵＥ１２０２に返信される、３ａに進んでもよく、次いで、プロセスは、４ａに進む。両方のチェックが合格する場合、プロセスは、ＵＥが開始した新しいサービス要求が対応するＣＮスライス（図１７のＣＮスライス１）に転送され得る３ｂに進んでもよく、次いで、プロセスは、４ｂに進んでもよい。４ａでは、例３の動作８が、実施され、具体的には、図１７の例１の動作１および２が、実施される。４ｂでは、動作２において説明される、ＣＮスライス評価および認可が実施される。５では、応答メッセージが、ＣＮスライス１によってＲＡＮスライス１に返信される。６では、応答メッセージが、ＲＡＮスライス１によってＵＥに戻るように転送される。７では、６においてＵＥ１２０２によって受信されるメッセージが容認指示を含む場合、プロセスは、例２の動作８に進む。ＵＥ１２０２が拒否応答を受信する場合、プロセスは、例３の動作８に進んでもよい。例２の８では、現在のネットワークスライスは、新しいサービスを供給することができるため、新しいサービスのためのユーザプレーン設定が設定される（例えば、サービスセッション確立、ＱｏＳ管理、トランスポート層接続確立等）。
【００７１】
ここで、図１８で描写される例示的ＲＡＮベースの追加のスライス発見および選択を参照すると、例１に関して、１では、ＵＥ１２０２は、新しいサービス要求を、ＮＳＩＳＦが常駐する共通／デフォルト／基本スライスに直接送信する。２では、図１４からの動作２−５が、実施され得る。例１の３では、ＲＡＮが、選択されたスライスおよびＵＥがこれらの選択されたスライスへの後続のアクセスを実施する方法を決定する、図１５の動作２−６が実施され得る。動作はまた、最適化された認証および認可を含み得る。依然として図１８を参照すると、例２および３に関して、１では、図１７の例２および３の動作１−８が実施される。
【００７２】
ここで、図１９で描写される例示的ＣＮベースの追加のスライス発見および選択を参照すると、例１に関して、１では、ＵＥ１２０２は、新しいサービス要求を、ＮＳＩＳＦが常駐する共通／デフォルト／基本スライスに直接送信する。２では、図１４の動作２および３が実施される。認証および認可は、図１７の例１の動作２に類似する様式で最適化され得る。３では、図１６の動作２−５が実施される。例２および３に関して、１では、図１７の例２および３の動作１−８が、実施され得る。
【００７３】
ここで、図２０Ａおよび２０Ｂに示されるような例示的許可不要および許可ＵＬ伝送を参照すると、ＵＥは、コアネットワーク内のサブスクリプション管理ノードへの登録を伴って事前構成され得る。代替として、ＵＥは、「アタッチ」プロシージャを介して登録され得る。ＵＥは、（適用可能である場合）登録後、概して、その許可不要構成と称され得る許可不要関連パラメータを設定し得る。ある場合、登録のために事前構成されるＵＥはまた、許可不要パラメータを伴って事前構成され得る。図２１Ａおよび２１Ｂは、ＵＥ（ＵＲＬＬＣデバイス）が、ＮＲノードによる指図に従って、許可不要状態と許可状態との間で遷移する、ＵＲＬＬＣデバイスのための許可不要および許可動作の例を描写する。図２２Ａおよび２２Ｂは、ＵＥ（ｍＭＴＣデバイス）が、（物理層と比較して）上位層によって命令されるように、許可不要状態と許可状態との間で遷移する、ｍＭＴＣデバイスのための許可不要および許可動作の例を描写する。
【００７４】
グラフィカルユーザインターフェース（ＧＵＩ）等のインターフェースが、ユーザを支援し、ネットワークスライス発見および選択に関連する機能性を制御ならびに／または構成するために使用されることができる。図２３を参照すると、スライスを発見および選択するようにＵＥを構成するための例示的グラフィカルユーザインターフェース（ＧＵＩ）がある。具体的には、ＧＵＩ２３０２を使用して、ユーザは、スライスを発見し、スライスを選択するようにＵＥを構成し得る。代替として、ＧＵＩ２３０２を使用して、ユーザは、ＵＥがスライスを発見し、スライスを選択することを可能にされないように、ＵＥを構成し得る。ＧＵＩは、所望に応じて、追加のまたは代替的パラメータを表示もしくは構成するように適合され得ることが理解されるであろう。さらに、ＧＵＩは、所望に応じて、種々の視覚描写でパラメータを表示することができる。インターフェース２３０２は、以下で説明される図２４Ｂおよび２４Ｆに示されるもの等の種々のディスプレイを使用して生成され得ることが、さらに理解されるであろう。
【００７５】
したがって、上で説明されるように、装置は、アイドルモードで動作するように、ネットワークと接続を確立する前に、ネットワークの複数のスライスに関連付けられた情報（スライス情報）を発見し得る。１つ以上のスライス選択基準および複数のスライスに関連付けられた情報に少なくとも部分的に基づいて、装置は、ネットワークの複数のスライスのうちの１つを選択し、選択されたスライスにアクセスし得る。例では、装置は、ネットワークの無線アクセスノードからブロードキャストされるシステム情報ブロックメッセージを受信し、復号することによって、スライス情報を発見する。システム情報ブロックメッセージは、ネットワークの複数のスライスに関連付けられた情報を含み得、情報は、選択されたスライスの識別子を含み得る。例では、選択されたスライスは、スライスを選択することに対してスライシング管理エンティティにアクセス要求を送信することによってアクセスされる。アクセス要求は、スライスが、ユーザ機器に関連付けられたコンテキスト情報および複数のスライスに関連付けられた情報に基づいて選択されるように、装置に関連付けられるコンテキスト情報を含み得る。別の例では、装置は、選択されたスライスの識別子を含むアクセス要求を選択されたスライスに送信し得る。複数のスライスに関連付けられた情報は、各スライスに関連付けられた有効期間、各スライスが適用されるアプリケーション識別、各スライスが適用されるサービス、各スライスに関連付けられたタイプ等を含み得る。選択基準は、各スライスに関連付けられた待ち時間、各スライスによって達成可能な帯域幅、各スライスに関連付けられたリソースモデル等を含み得る。別の例では、装置は、装置において記憶されるスライス情報の一部を読み出すことによって、スライス情報を発見する。情報の一部は、以前のネットワーク接続から記憶され得る。
【００７６】
上でも説明されるように、装置は、スライスアクセス要求を受信し得る。スライスアクセス要求は、ユーザ機器がアクセスを要求しているスライスに対応するネットワークスライス識別を含み得る。ネットワークスライス識別を使用して、装置は、ユーザ機器がスライスにアクセスすることを許可されているかどうかを決定し得る。ユーザ機器がスライスにアクセスすることを許可されている場合、装置は、ユーザ機器がスライスとのユーザプレーン接続を設定することができるように、ユーザ機器に向かって応答を送信し得る。例では、装置は、ネットワークスライス識別を使用し、スライスに関連付けられたコアネットワークエンティティを決定することによって、ユーザ機器がスライスにアクセスすることを許可されているかどうかを決定する。別の例では、装置は、ユーザ機器との直接無線リンクを介してユーザ機器から情報を収集し、評価することによって、ユーザ機器がスライスにアクセスすることを許可されているかどうかを決定し、情報は、ユーザ機器に関する。例えば、情報は、ユーザ機器の能力、ユーザ機器に関連付けられたサービスタイプ、ユーザ機器に関連付けられたトラフィック特性、ユーザ機器のサービスの質要件等を含み得る。ユーザ機器に関する情報に基づいて、装置は、ユーザ機器が使用することを許可されている１つ以上のネットワークスライスインスタンスのリストを取得し得、スライスは、１つ以上のネットワークスライスインスタンスのうちの１つである。さらに、装置は、マッピングテーブルを更新し、将来のルーティングで使用するための１つ以上のスライスインスタンスを含み得る。
【００７７】
本明細書に説明される種々の技法は、ハードウェア、ファームウェア、ソフトウェア、または適切である場合、それらの組み合わせに関連して、実装され得る。そのようなハードウェア、ファームウェア、およびソフトウェアは、通信ネットワークの種々のノードに位置する装置の中に常駐し得る。装置は、単独で、または互いと組み合わせて動作し、本明細書に説明される方法に影響を及ぼし得る。本明細書で使用されるように、用語「装置」、「ネットワーク装置」、「ノード」、「エンティティ」、「機能」、「デバイス」、および「ネットワークノード」は、限定ではないが、別様に規定されない限り、同義的に使用され得る。
【００７８】
例えば、図４Ａ−２２Ｂに図示されるステップを実施するノードは、図２４ＢおよびＦに図示されるもの等の無線および／またはネットワーク通信もしくはコンピュータシステムのために構成される装置のメモリの中に記憶され、そのプロセッサ上で実行する、ソフトウェア（すなわち、コンピュータ実行可能命令）の形態で実装され得る論理エンティティであり得ることが理解される。すなわち、図４Ａ−２２Ｂに図示される方法は、図２４ＢおよびＦに図示される装置またはコンピュータシステム等の装置のメモリの中に記憶されたソフトウェア（すなわち、コンピュータ実行可能命令）の形態で実装され得、そのコンピュータ実行可能命令は、装置のプロセッサによって実行されると、図４Ａ−２２Ｂに図示されるステップを実施する。また、図４Ａ−２２Ｂに図示される任意の伝送および受信ステップは、装置のプロセッサならびにそれが実行するコンピュータ実行可能命令（例えば、ソフトウェア）の制御下で、装置の通信回路によって実施され得ることも理解される。
【００７９】
３ｒｄ  Ｇｅｎｅｒａｔｉｏｎ  Ｐａｒｔｎｅｒｓｈｉｐ  Ｐｒｏｊｅｃｔ（３ＧＰＰ）は、コーデック、セキュリティ、およびサービス品質に関する作業を含む無線アクセス、コアトランスポートネットワーク、およびサービス能力を含むセルラー電気通信ネットワーク技術の技術規格を開発している。近年の無線アクセス技術（ＲＡＴ）規格は、ＷＣＤＭＡ（登録商標）（一般的に３Ｇと称される）、ＬＴＥ（一般的に４Ｇと称される）、およびＬＴＥ−Ａｄｖａｎｃｅｄ規格を含む。３ＧＰＰは、「５Ｇ」とも称される新しい無線（ＮＲ）と呼ばれる次世代セルラー技術の標準化に取り組み始めている。３ＧＰＰ  ＮＲ規格開発は、６ＧＨｚを下回る新しいフレキシブル無線アクセスのプロビジョンと、６ＧＨｚを上回る新しいウルトラモバイルブロードバンド無線アクセスのプロビジョンとを含むことが予期される次世代無線アクセス技術（新しいＲＡＴ）の定義を含むことが予期される。フレキシブル無線アクセスは、６ＧＨｚを下回る新しいスペクトル内の新しい非後方互換性無線アクセスから成ることが予期され、多様な要件を伴う３ＧＰＰ  ＮＲユースケースの広範なセットに対処するように、同一のスペクトル内で一緒に多重化されることができる異なる動作モードを含むことが予期される。ウルトラモバイルブロードバンドは、例えば、屋内用途およびホットスポットのためのウルトラモバイルブロードバンドアクセスの機会を提供するであろうセンチ波およびミリ波スペクトルを含むことが予期される。具体的には、ウルトラモバイルブロードバンドは、センチ波およびミリ波特有の設計最適化を伴って、６ＧＨｚを下回るフレキシブル無線アクセスと共通設計フレームワークを共有することが予期される。
【００８０】
異なるＲＡＮアーキテクチャに対して、上で説明される許可不要ＵＬ制御および管理は、ＮＲノード、伝送および受信点（ＴＲＰ）、遠隔無線ヘッド（ＲＲＨ）等、ならびにＲＡＮスライス内のＲＡＮもしくは制御機能の中の中央コントローラにおいて行われ得ることが理解されるであろう。本明細書に説明される実施形態は、異なるＲＡＮアーキテクチャ内のＴＲＰ、ＲＲＨ、中央コントローラ、および制御機能にも適用可能であり得る。
【００８１】
３ＧＰＰは、データレート、待ち時間、およびモビリティのための多種多様なユーザ体験要件をもたらす、ＮＲがサポートすることが予期される、種々のユースケースを識別している。ユースケースは、以下の一般的カテゴリを含む：拡張モバイルブロードバンド（例えば、高密度エリア内のブロードバンドアクセス、屋内の超高ブロードバンドアクセス、群衆の中のブロードバンドアクセス、あらゆる場所での５０＋Ｍｂｐｓ、超低コストブロードバンドアクセス、車両内のモバイルブロードバンド）、重要通信、マッシブマシンタイプ通信、ネットワーク動作（例えば、ネットワークスライシング、ルーティング、移動およびインターワーキング、エネルギー節約）、ならびに拡張ｖｅｈｉｃｌｅ−ｔｏ−ｅｖｅｒｙｔｈｉｎｇ（ｅＶ２Ｘ）通信。これらのカテゴリの中の具体的サービスおよび用途は、いくつか例を挙げると、例えば、監視およびセンサネットワーク、デバイス遠隔制御、双方向遠隔制御、パーソナルクラウドコンピューティング、ビデオストリーミング、無線クラウドベースのオフィス、緊急対応者接続性、自動車ｅコール、災害アラート、リアルタイムゲーム、多人数ビデオ通話、自律運転、拡張現実、触覚インターネット、および仮想現実を含む。これらのユースケースおよびその他は全てが、本明細書で考慮される。
【００８２】
図２４Ａは、本明細書に説明および請求される方法ならびに装置が具現化され得る例示的通信システム１００の一実施形態を図示する。示されるように、例示的通信システム１００は、無線伝送／受信ユニット（ＷＴＲＵ）１０２ａ、１０２ｂ、１０２ｃ、および／または１０２ｄ（概して、集合的にＷＴＲＵ１０２と称され得る）と、無線アクセスネットワーク（ＲＡＮ）１０３／１０４／１０５／１０３ｂ／１０４ｂ／１０５ｂと、コアネットワーク１０６／１０７／１０９と、公衆交換電話ネットワーク（ＰＳＴＮ）１０８と、インターネット１１０と、他のネットワーク１１２を含み得るが、開示される実施形態は、任意の数のＷＴＲＵ、基地局、ネットワーク、および／またはネットワーク要素を考慮することが理解されるであろう。ＷＴＲＵ１０２ａ、１０２ｂ、１０２ｃ、１０２ｄ、１０２ｅの各々は、無線環境内で動作および／または通信するように構成される任意のタイプの装置もしくはデバイスであり得る。各ＷＴＲＵ１０２ａ、１０２ｂ、１０２ｃ、１０２ｄ、１０２ｅは、ハンドヘルド無線通信装置として図２４Ａ−２４Ｅで描写されるが、５Ｇ無線通信のために考慮される多種多様なユースケースを用いると、各ＷＴＲＵは、一例のみとして、ユーザ機器（ＵＥ）、移動局、固定またはモバイルサブスクライバユニット、ポケットベル、携帯電話、携帯情報端末（ＰＤＡ）、スマートフォン、ラップトップ、タブレット、ネットブック、ノートブックコンピュータ、パーソナルコンピュータ、無線センサ、消費者電子機器、スマートウォッチまたはスマート衣類等のウェアラブルデバイス、医療またはｅヘルスデバイス、ロボット、産業機器、ドローン、車、トラック、電車、もしくは飛行機等の乗り物等を含む無線信号を伝送および／または受信するように構成される任意のタイプの装置もしくはデバイスを備え得る、またはそのように具現化され得ることが理解される。
【００８３】
通信システム１００は、基地局１１４ａと、基地局１１４ｂとも含み得る。基地局１１４ａは、ＷＴＲＵ１０２ａ、１０２ｂ、１０２ｃのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される任意のタイプのデバイスであり得る。基地局１１４ｂは、ＲＲＨｓ（遠隔無線ヘッド）１１８ａ、１１８ｂおよび／またはＴＲＰ（伝送および受信点）１１９ａ、１１９ｂのうちの少なくとも１つと有線ならびに／もしくは無線でインターフェースをとり、コアネットワーク１０６／１０７／１０９、インターネット１１０、および／または他のネットワーク１１２等の１つ以上の通信ネットワークへのアクセスを促進するように構成される任意のタイプのデバイスであり得る。ＲＲＨ１１８ａ、１１８ｂは、ＷＴＲＵ１０２ｃのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される任意のタイプのデバイスであり得る。ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される任意のタイプのデバイスであり得る。一例として、基地局１１４ａ、１１４ｂは、送受信機基地局（ＢＴＳ）、ノード−Ｂ、ｅＮｏｄｅＢ、ホームノードＢ、ホームｅＮｏｄｅＢ、サービス拠点コントローラ、アクセスポイント（ＡＰ）、無線ルータ等であり得る。基地局１１４ａ、１１４ｂの各々は、単一の要素として描写されているが、基地局１１４ａ、１１４ｂは、任意の数の相互接続された基地局および／またはネットワーク要素を含み得ることが理解されるであろう。
【００８４】
基地局１１４ａは、基地局コントローラ（ＢＳＣ）、無線ネットワークコントローラ（ＲＮＣ）、中継ノード等の他の基地局および／またはネットワーク要素（図示せず）も含み得るＲＡＮ１０３／１０４／１０５の一部であり得る。基地局１１４ｂは、基地局コントローラ（ＢＳＣ）、無線ネットワークコントローラ（ＲＮＣ）、中継ノード等の他の基地局および／またはネットワーク要素（図示せず）も含み得るＲＡＮ１０３ｂ／１０４ｂ／１０５ｂの一部であり得る。基地局１１４ａは、セル（図示せず）と称され得る特定の地理的領域内で無線信号を伝送および／または受信するように構成され得る。基地局１１４ｂは、セル（図示せず）と称され得る特定の地理的領域内で有線および／または無線信号を伝送ならびに／もしくは受信するように構成され得る。セルは、セルセクタにさらに分割され得る。例えば、基地局１１４ａに関連付けられるセルは、３つのセクタに分割され得る。したがって、実施形態では、基地局１１４ａは、例えば、セルのセクタ毎に１つ、３つの送受信機を含み得る。実施形態では、基地局１１４ａは、多重入出力（ＭＩＭＯ）技術を採用し得、したがって、セルのセクタ毎に複数の送受信機を利用し得る。
【００８５】
基地局１１４ａは、任意の好適な無線通信リンク（例えば、高周波（ＲＦ）、マイクロ波、赤外線（ＩＲ）、紫外線（ＵＶ）、可視光、センチ波、ミリ波等）であり得るエアインターフェース１１５／１１６／１１７を経由して、ＷＴＲＵ１０２ａ、１０２ｂ、１０２ｃのうちの１つ以上のものと通信し得る。エアインターフェース１１５／１１６／１１７は、任意の好適な無線アクセス技術（ＲＡＴ）を使用して、確立され得る。
【００８６】
基地局１１４ｂは、任意の好適な有線（例えば、ケーブル、光ファイバ等）または無線通信リンク（例えば、高周波（ＲＦ）、マイクロ波、赤外線（ＩＲ）、紫外線（ＵＶ）、可視光、センチ波、ミリ波等）であり得る有線もしくはエアインターフェース１１５ｂ／１１６ｂ／１１７ｂを経由して、ＲＲＨ１１８ａ、１１８ｂおよび／またはＴＲＰ１１９ａ、１１９ｂのうちの１つ以上のものと通信し得る。エアインターフェース１１５ｂ／１１６ｂ／１１７ｂは、任意の好適な無線アクセス技術（ＲＡＴ）を使用して、確立され得る。
【００８７】
ＲＲＨ１１８ａ、１１８ｂおよび／またはＴＲＰ１１９ａ、１１９ｂは、任意の好適な無線通信リンク（例えば、高周波（ＲＦ）、マイクロ波、赤外線（ＩＲ）、紫外線（ＵＶ）、可視光、センチ波、ミリ波等）であり得るエアインターフェース１１５ｃ／１１６ｃ／１１７ｃを経由して、ＷＴＲＵ１０２ｃ、１０２ｄのうちの１つ以上のものと通信し得る。エアインターフェース１１５ｃ／１１６ｃ／１１７ｃは、任意の好適な無線アクセス技術（ＲＡＴ）を使用して、確立され得る。
【００８８】
より具体的には、上記のように、通信システム１００は、複数のアクセスシステムであり得、ＣＤＭＡ、ＴＤＭＡ、ＦＤＭＡ、ＯＦＤＭＡ、ＳＣ−ＦＤＭＡ等の１つ以上のチャネルアクセス方式を採用し得る。例えば、ＲＡＮ１０３／１０４／１０５およびＷＴＲＵ１０２ａ、１０２ｂ、１０２ｃ内の基地局１１４ａ、またはＲＡＮ１０３ｂ／１０４ｂ／１０５ｂおよびＷＴＲＵ１０２ｃ、１０２ｄ内のＲＲＨ１１８ａ、１１８ｂならびにＴＲＰ１１９ａ、１１９ｂは、それぞれ、広帯域ＣＤＭＡ（ＷＣＤＭＡ（登録商標））を使用して、エアインターフェース１１５／１１６／１１７または１１５ｃ／１１６ｃ／１１７ｃを確立し得るユニバーサルモバイル電気通信システム（ＵＭＴＳ）地上無線アクセス（ＵＴＲＡ）等の無線技術を実装し得る。ＷＣＤＭＡ（登録商標）は、高速パケットアクセス（ＨＳＰＡ）および／または進化型ＨＳＰＡ（ＨＳＰＡ＋）等の通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００８９】
実施形態では、ＲＡＮ１０３／１０４／１０５およびＷＴＲＵ１０２ａ、１０２ｂ、１０２ｃ内の基地局１１４ａ、またはＲＡＮ１０３ｂ／１０４ｂ／１０５ｂおよびＷＴＲＵ１０２ｃ、１０２ｄ内のＲＲＨ１１８ａ、１１８ｂならびにＴＲＰ１１９ａ、１１９ｂは、ロングタームエボリューション（ＬＴＥ）ならびに／もしくはＬＴＥ−Ａｄｖａｎｃｅｄ（ＬＴＥ−Ａ）を使用して、エアインターフェース１１５／１１６／１１７を確立し得る進化型ＵＭＴＳ地上無線アクセス（Ｅ−ＵＴＲＡ）等の無線技術を実装し得る。将来、エアインターフェース１１５／１１６／１１７は、３ＧＰＰ  ＮＲ技術を実装し得る。
【００９０】
実施形態では、基地局１１４ａおよびＷＴＲＵ１０２ａ、１０２ｂ、１０２ｃは、ＩＥＥＥ  ８０２．１６（例えば、ワールドワイド・インターオペラビリティ・フォー・マイクロウェーブ・アクセス（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、モバイル通信用グローバルシステム（ＧＳＭ（登録商標））、ＧＳＭ（登録商標）進化型高速データレート（ＥＤＧＥ）、ＧＳＭ（登録商標）  ＥＤＧＥ（ＧＥＲＡＮ）等の無線技術を実装し得る。
【００９１】
図２４Ａの基地局１１４ｃは、例えば、無線ルータ、ホームノードＢ、ホームｅＮｏｄｅＢ、またはアクセスポイントであり得、会社、自宅、車両、キャンパス等の場所等の局所的エリア内の無線接続性を促進するための任意の好適なＲＡＴを利用し得る。実施形態では、基地局１１４ｃおよびＷＴＲＵ１０２ｅは、ＩＥＥＥ  ８０２．１１等の無線技術を実装して、無線ローカルエリアネットワーク（ＷＬＡＮ）を確立し得る。実施形態では、基地局１１４ｃおよびＷＴＲＵ１０２ｅは、ＩＥＥＥ  ８０２．１５等の無線技術を実装して、無線パーソナルエリアネットワーク（ＷＰＡＮ）を確立し得る。さらなる実施形態では、基地局１１４ｂおよびＷＴＲＵ１０２ｃ、１０２ｄは、セルラーベースのＲＡＴ（例えば、ＷＣＤＭＡ（登録商標）、ＣＤＭＡ２０００、ＧＳＭ（登録商標）、ＬＴＥ、ＬＴＥ−Ａ等）を利用して、ピコセルまたはフェムトセルを確立し得る。図２４Ａに示されるように、基地局１１４ｂは、インターネット１１０への直接接続を有し得る。したがって、基地局１１４ｃは、コアネットワーク１０６／１０７／１０９を介してインターネット１１０にアクセスするように要求されないこともある。
【００９２】
ＲＡＮ１０３／１０４／１０５および／またはＲＡＮ１０３ｂ／１０４ｂ／１０５ｂは、音声、データ、アプリケーション、ならびに／もしくはボイスオーバーインターネットプロトコル（ＶｏＩＰ）サービスを、ＷＴＲＵ１０２ａ、１０２ｂ、１０２ｃ、１０２ｄのうちの１つ以上のものに提供するように構成される任意のタイプのネットワークであり得るコアネットワーク１０６／１０７／１０９と通信し得る。例えば、コアネットワーク１０６／１０７／１０９は、コール制御、請求サービス、モバイル場所ベースのサービス、プリペイドコール、インターネット接続性、ビデオ配布等を提供し、および／またユーザ認証等の高レベルセキュリティ機能を果たし得る。
【００９３】
図２４Ａに示されていないが、ＲＡＮ１０３／１０４／１０５および／またはＲＡＮ１０３ｂ／１０４ｂ／１０５ｂならびに／もしくはコアネットワーク１０６／１０７／１０９は、ＲＡＮ１０３／１０４／１０５および／またはＲＡＮ１０３ｂ／１０４ｂ／１０５ｂと同一のＲＡＴもしくは異なるＲＡＴを採用する他のＲＡＮと直接または間接通信し得ることが理解されるであろう。例えば、Ｅ−ＵＴＲＡ無線技術を利用し得るＲＡＮ１０３／１０４／１０５および／またはＲＡＮ１０３ｂ／１０４ｂ／１０５ｂに接続されることに加えて、コアネットワーク１０６／１０７／１０９はまた、ＧＳＭ（登録商標）無線技術を採用する別のＲＡＮ（図示せず）と通信し得る。
【００９４】
コアネットワーク１０６／１０７／１０９は、ＷＴＲＵ１０２ａ、１０２ｂ、１０２ｃ、１０２ｄ、１０２ｅのためのゲートウェイとしての役割も果たし、ＰＳＴＮ１０８、インターネット１１０、および／または他のネットワーク１１２にアクセスし得る。ＰＳＴＮ１０８は、基本電話サービス（ＰＯＴＳ）を提供する、回路交換電話ネットワークを含み得る。インターネット１１０は、伝送制御プロトコル（ＴＣＰ）、ユーザデータグラムプロトコル（ＵＤＰ）、およびＴＣＰ／ＩＰインターネットプロトコルスイートにおけるインターネットプロトコル（ＩＰ）等の共通通信プロトコルを使用する相互接続されたコンピュータネットワークならびにデバイスのグローバルシステムを含み得る。ネットワーク１１２は、他のサービスプロバイダによって所有および／または運営される、有線もしくは無線通信ネットワークを含み得る。例えば、ネットワーク１１２は、ＲＡＮ１０３／１０４／１０５および／またはＲＡＮ１０３ｂ／１０４ｂ／１０５ｂと同一のＲＡＴもしくは異なるＲＡＴを採用し得る１つ以上のＲＡＮに接続される別のコアネットワークを含み得る。
【００９５】
通信システム１００内のＷＴＲＵ１０２ａ、１０２ｂ、１０２ｃ、１０２ｄのうちのいくつかまたは全部は、マルチモード能力を含み得、例えば、ＷＴＲＵ１０２ａ、１０２ｂ、１０２ｃ、１０２ｄ、および１０２ｅは、異なる無線リンクを経由して異なる無線ネットワークと通信するための複数の送受信機を含み得る。例えば、図２４Ａに示されるＷＴＲＵ１０２ｅは、セルラーベースの無線技術を採用し得る基地局１１４ａ、およびＩＥＥＥ  ８０２無線技術を採用し得る基地局１１４ｃと通信するように構成され得る。
【００９６】
図２４Ｂは、例えば、ＷＴＲＵ１０２等の本明細書に図示される実施形態による、無線通信のために構成される例示的装置またはデバイスのブロック図である。図２４Ｂに示されるように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケータ１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、実施形態と一致したままで、先述の要素の任意の副次的組み合わせを含み得ることが理解されるであろう。実施形態は、基地局１１４ａならびに１１４ｂ、および／または限定されないが、とりわけ、送受信機局（ＢＴＳ）、ノード−Ｂ、サービス拠点コントローラ、アクセスポイント（ＡＰ）、ホームノード−Ｂ、進化型ホームノード−Ｂ（ｅＮｏｄｅＢ）、ホーム進化型ノード−Ｂ（ＨｅＮＢ）、ホーム進化型ノード−Ｂゲートウェイ、およびプロキシノード等の基地局１１４ａならびに１１４ｂが表し得るノードは、図２４Ｂに描写され、本明細書に説明される要素のうちのいくつかまたは全部を含み得ることも考慮する。
【００９７】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ１１８は、信号符号化、データ処理、電力制御、入力／出力処理、および／またはＷＴＲＵ１０２が無線環境内で動作することを可能にする任意の他の機能性を実施し得る。プロセッサ１１８は、伝送／受信要素１２２に結合され得る送受信機１２０に結合され得る。図２４Ｂは、プロセッサ１１８および送受信機１２０を別個のコンポーネントとして描写するが、プロセッサ１１８および送受信機１２０は、電子パッケージまたはチップに一緒に統合され得ることが理解されるであろう。
【００９８】
伝送／受信要素１２２は、エアインターフェース１１５／１１６／１１７を経由して、基地局（例えば、基地局１１４ａ）へ信号を伝送するか、またはそこから信号を受信するように構成され得る。例えば、実施形態では、伝送／受信要素１２２は、ＲＦ信号を伝送および／または受信するように構成されるアンテナであり得る。実施形態では、図２４Ａに示されていないが、ＲＡＮ１０３／１０４／１０５および／またはコアネットワーク１０６／１０７／１０９は、ＲＡＮ１０３／１０４／１０５と同一のＲＡＴまたは異なるＲＡＴを採用する他のＲＡＮと直接もしくは間接通信し得ることが理解されるであろう。例えば、Ｅ−ＵＴＲＡ無線技術を利用し得るＲＡＮ１０３／１０４／１０５に接続されることに加えて、コアネットワーク１０６／１０７／１０９は、ＧＳＭ（登録商標）無線技術を採用する別のＲＡＮ（図示せず）と通信し得る。
【００９９】
コアネットワーク１０６／１０７／１０９は、ＷＴＲＵ１０２ａ、１０２ｂ、１０２ｃ、１０２ｄのためのゲートウェイとしての役割も果たし、ＰＳＴＮ１０８、インターネット１１０、および／または他のネットワーク１１２にアクセスし得る。ＰＳＴＮ１０８は、基本電話サービス（ＰＯＴＳ）を提供する回路交換電話ネットワークを含み得る。インターネット１１０は、伝送制御プロトコル（ＴＣＰ）、ユーザデータグラムプロトコル（ＵＤＰ）、およびＴＣＰ／ＩＰインターネットプロトコルスイート内のインターネットプロトコル（ＩＰ）等の共通通信プロトコルを使用する相互接続されたコンピュータネットワークならびにデバイスのグローバルシステムを含み得る。ネットワーク１１２は、他のサービスプロバイダによって所有および／または運営される有線もしくは無線通信ネットワークを含み得る。例えば、ネットワーク１１２は、ＲＡＮ１０３／１０４／１０５と同一のＲＡＴまたは異なるＲＡＴを採用し得る１つ以上のＲＡＮに接続される、別のコアネットワークを含み得る。
【０１００】
通信システム１００内のＷＴＲＵ１０２ａ、１０２ｂ、１０２ｃ、１０２ｄのうちのいくつかまたは全ては、マルチモード能力を含み得、例えば、ＷＴＲＵ１０２ａ、１０２ｂ、１０２ｃ、および１０２ｄは、異なる無線リンクを経由して異なる無線ネットワークと通信するための複数の送受信機を含み得る。例えば、図２４Ａに示されるＷＴＲＵ１０２ｃは、セルラーベースの無線技術を採用し得る基地局１１４ａ、およびＩＥＥＥ  ８０２無線技術を採用し得る基地局１１４ｂと通信するように構成され得る。
【０１０１】
図２４Ｂは、例えば、ＷＴＲＵ１０２等の本明細書に図示される実施形態による、無線通信のために構成される例示的装置またはデバイスのブロック図である。図２４Ｂに示されるように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケータ１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、実施形態と一致したままで、先述の要素の任意の副次的組み合わせを含み得ることが理解されるであろう。実施形態は、基地局１１４ａならびに１１４ｂ、および／または限定されないが、とりわけ、送受信機局（ＢＴＳ）、ノード−Ｂ、サービス拠点コントローラ、アクセスポイント（ＡＰ）、ホームノード−Ｂ、進化型ホームノード−Ｂ（ｅＮｏｄｅＢ）、ホーム進化型ノード−Ｂ（ＨｅＮＢ）、ホーム進化型ノード−Ｂゲートウェイ、およびプロキシノード等の基地局１１４ａならびに１１４ｂが表し得るノードは、図２４Ｂに描写され、本明細書に説明される要素のうちのいくつかまたは全部を含み得ることも考慮する。
【０１０２】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ１１８は、信号符号化、データ処理、電力制御、入力／出力処理、および／またはＷＴＲＵ１０２が無線環境内で動作することを可能にする任意の他の機能性を実施し得る。プロセッサ１１８は、伝送／受信要素１２２に結合され得る送受信機１２０に結合され得る。図２４Ｂは、プロセッサ１１８および送受信機１２０を別個のコンポーネントとして描写するが、プロセッサ１１８および送受信機１２０は、電子パッケージまたはチップにともに統合され得ることが理解されるであろう。
【０１０３】
伝送／受信要素１２２は、エアインターフェース１１５／１１６／１１７を経由して、基地局（例えば、基地局１１４ａ）へ信号を伝送する、またはそこから信号を受信するように構成され得る。例えば、実施形態では、伝送／受信要素１２２は、ＲＦ信号を伝送および／または受信するように構成されるアンテナであり得る。実施形態では、伝送／受信要素１２２は、例えば、ＩＲ、ＵＶ、もしくは可視光信号を伝送および／または受信するように構成される、エミッタ／検出器であり得る。さらなる実施形態では、伝送／受信要素１２２は、ＲＦおよび光信号の両方を伝送ならびに受信するように構成され得る。伝送／受信要素１２２は、無線信号の任意の組み合わせを伝送および／または受信するように構成され得ることが理解されるであろう。
【０１０４】
加えて、伝送／受信要素１２２は、単一の要素として図２４Ｂで描写されているが、ＷＴＲＵ１０２は、任意の数の伝送／受信要素１２２を含み得る。より具体的には、ＷＴＲＵ１０２は、ＭＩＭＯ技術を採用し得る。したがって、実施形態では、ＷＴＲＵ１０２は、エアインターフェース１１５／１１６／１１７を経由して無線信号を伝送および受信するための２つ以上の伝送／受信要素１２２（例えば、複数のアンテナ）を含み得る。
【０１０５】
送受信機１２０は、伝送／受信要素１２２によって伝送される信号を変調するように、および伝送／受信要素１２２によって受信される信号を復調するように構成され得る。上記のように、ＷＴＲＵ１０２は、マルチモード能力を有し得る。したがって、送受信機１２０は、ＷＴＲＵ１０２が、例えば、ＵＴＲＡおよびＩＥＥＥ  ８０２．１１等の複数のＲＡＴを介して通信することを可能にするための複数の送受信機を含み得る。
【０１０６】
ＷＴＲＵ１０２のプロセッサ１１８は、スピーカ／マイクロホン１２４、キーパッド１２６、および／またはディスプレイ／タッチパッド／インジケータ１２８（例えば、液晶ディスプレイ（ＬＣＤ）表示ユニットもしくは有機発光ダイオード（ＯＬＥＤ）表示ユニット）に結合され得、かつそこからユーザ入力データを受信し得る。プロセッサ１１８は、ユーザデータをスピーカ／マイクロホン１２４、キーパッド１２６、および／またはディスプレイ／タッチパッド／インジケータ１２８に出力し得る。加えて、プロセッサ１１８は、非取り外し可能メモリ１３０および／または取り外し可能メモリ１３２等の任意のタイプの好適なメモリから情報にアクセスし、その中にデータを記憶し得る。非取り外し可能メモリ１３０は、ランダムアクセスメモリ（ＲＡＭ）、読み取えい専用メモリ（ＲＯＭ）、ハードディスク、または任意の他のタイプのメモリ記憶デバイスを含み得る。取り外し可能メモリ１３２は、サブスクライバ識別モジュール（ＳＩＭ）カード、メモリスティック、セキュアデジタル（ＳＤ）メモリカード等を含み得る。実施形態では、プロセッサ１１８は、サーバまたはホームコンピュータ（図示せず）上等のＷＴＲＵ１０２上に物理に位置しないメモリから情報にアクセスし、その中にデータを記憶し得る。
【０１０７】
プロセッサ１１８は、電源１３４から電力を受け取り得、ＷＴＲＵ１０２内の他のコンポーネントへの電力を分配および／または制御するように構成され得る。電源１３４は、ＷＴＲＵ１０２に給電するための任意の好適なデバイスであり得る。例えば、電源１３４は、１つ以上の乾電池、太陽電池、燃料電池等を含み得る。
【０１０８】
プロセッサ１１８は、ＷＴＲＵ１０２の現在の場所に関する場所情報（例えば、経度および緯度）を提供するように構成され得るＧＰＳチップセット１３６にも結合され得る。ＧＰＳチップセット１３６からの情報に加えて、またはその代わりに、ＷＴＲＵ１０２は、エアインターフェース１１５／１１６／１１７を経由して、基地局（例えば、基地局１１４ａ、１１４ｂ）から場所情報を受信し、および／または２つ以上の近傍基地局から受信されている信号のタイミングに基づいて、その場所を決定し得る。ＷＴＲＵ１０２は、実施形態と一致したままで、任意の好適な場所決定方法を介して場所情報を獲得し得ることが理解されるであろう。
【０１０９】
プロセッサ１１８は、追加の特徴、機能性、および／または有線もしくは無線接続性を提供する１つ以上のソフトウェアならびに／もしくはハードウェアモジュールを含み得る他の周辺機器１３８にさらに結合され得る。例えば、周辺機器１３８は、加速度計、バイオメトリック（例えば、指紋）センサ等の種々のセンサ、ｅ−コンパス、衛星送受信機、デジタルカメラ（写真またはビデオ用）、ユニバーサルシリアルバス（ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ等を含み得る。
【０１１０】
ＷＴＲＵ１０２は、センサ、消費者電子機器、スマートウォッチまたはスマート衣類等のウェアラブルデバイス、医療またはｅヘルスデバイス、ロボット、産業機器、ドローン、車、トラック、電車、または飛行機等の乗り物等の他の装置もしくはデバイスで具現化され得る。ＷＴＲＵ１０２は、周辺機器１３８のうちの１つを備え得る相互接続インターフェース等の１つ以上の相互接続インターフェースを介して、そのような装置もしくはデバイスの他のコンポーネント、モジュール、またはシステムに接続し得る。
【０１１１】
図２４Ｃは、ある実施形態による、ＲＡＮ１０３およびコアネットワーク１０６の系統図である。上記のように、ＲＡＮ１０３は、ＵＴＲＡ無線技術を採用し、エアインターフェース１１５を経由して、ＷＴＲＵ１０２ａ、１０２ｂ、および１０２ｃと通信し得る。ＲＡＮ１０３は、コアネットワーク１０６とも通信し得る。図２４Ｃに示されるように、ＲＡＮ１０３は、エアインターフェース１１５を経由して、ＷＴＲＵ１０２ａ、１０２ｂ、１０２ｃと通信するための１つ以上の送受信機を含み得るノード−Ｂ１４０ａ、１４０ｂ、１４０ｃを含み得る。ノード−Ｂ１４０ａ、１４０ｂ、１４０ｃの各々は、ＲＡＮ１０３内の特定のセル（図示せず）に関連付けられ得る。ＲＡＮ１０３は、ＲＮＣ１４２ａ、１４２ｂも含み得る。ＲＡＮ１０３は、実施形態と一致したままで、任意の数のノード−ＢおよびＲＮＣを含み得ることが理解されるであろう。
【０１１２】
図２４Ｃに示されるように、ノード−Ｂ１４０ａ、１４０ｂは、ＲＮＣ１４２ａと通信し得る。加えて、ノード−Ｂ１４０ｃは、ＲＮＣ１４２ｂと通信し得る。ノード−Ｂ１４０ａ、１４０ｂ、１４０ｃは、Ｉｕｂインターフェースを介して、それぞれのＲＮＣ１４２ａ、１４２ｂと通信し得る。ＲＮＣ１４２ａ、１４２ｂは、Ｉｕｒインターフェースを介して、互いと通信し得る。ＲＮＣ１４２ａ、１４２ｂの各々は、それが接続されるそれぞれのノード−Ｂ１４０ａ、１４０ｂ、１４０ｃを制御するように構成され得る。加えて、ＲＮＣ１４２ａ、１４２ｂの各々は、外部ループ電力制御、負荷制御、受付制御、パケットスケジューリング、ハンドオーバ制御、マクロダイバーシティ、セキュリティ機能、データ暗号化等の他の機能性を実施またはサポートするように構成され得る。
【０１１３】
図２４Ｃに示されるコアネットワーク１０６は、メディアゲートウェイ（ＭＧＷ）１４４、モバイル切り替えセンタ（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。前述の要素の各々は、コアネットワーク１０６の一部として描写されるが、これらの要素のうちのいずれか１つは、コアネットワークオペレータ以外のエンティティによって所有および／または運営され得ることが理解されるであろう。
【０１１４】
ＲＡＮ１０３内のＲＮＣ１４２ａは、ＩｕＣＳインターフェースを介して、コアネットワーク１０６内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。
【０１１５】
ＲＡＮ１０３内のＲＮＣ１４２ａは、ＩｕＰＳインターフェースを介して、コアネットワーク１０６内のＳＧＳＮ１４８にも接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。
【０１１６】
上記のように、コアネットワーク１０６は、他のサービスプロバイダによって所有および／または運営される他の有線もしくは無線ネットワークを含み得るネットワーク１１２にも接続され得る。
【０１１７】
図２４Ｄは、ある実施形態による、ＲＡＮ１０４およびコアネットワーク１０７の系統図である。上記のように、ＲＡＮ１０４は、Ｅ−ＵＴＲＡ無線技術を採用し、エアインターフェース１１６を経由して、ＷＴＲＵ１０２ａ、１０２ｂ、および１０２ｃと通信し得る。ＲＡＮ１０４は、コアネットワーク１０７とも通信し得る。
【０１１８】
ＲＡＮ１０４は、ｅＮｏｄｅ−Ｂ１６０ａ、１６０ｂ、１６０ｃを含み得るが、ＲＡＮ１０４は、実施形態と一致したままで、任意の数のノード−Ｂを含み得ることが理解されるであろう。ｅＮｏｄｅ−Ｂ１６０ａ、１６０ｂ、１６０ｃの各々は、エアインターフェース１１６を経由して、ＷＴＲＵ１０２ａ、１０２ｂ、１０２ｃと通信するための１つ以上の送受信機を含み得る。実施形態では、ｅＮｏｄｅ−Ｂ１６０ａ、１６０ｂ、１６０ｃは、ＭＩＭＯ技術を実装し得る。したがって、ｅＮｏｄｅ−Ｂ１６０ａは、例えば、複数のアンテナを使用して、ＷＴＲＵ１０２ａに無線信号を伝送し、そこから無線信号を受信し得る。
【０１１９】
ｅＮｏｄｅ−Ｂ１６０ａ、１６０ｂ、および１６０ｃの各々は、特定のセル（図示せず）に関連付けられ得、無線リソース管理決定、ハンドオーバ決定、アップリンクおよび／またはダウンリンクにおけるユーザのスケジューリング等をハンドリングするように構成され得る。図２４Ｄに示されるように、ｅＮｏｄｅ−Ｂ１６０ａ、１６０ｂ、１６０ｃは、Ｘ２インターフェースを経由して、互いと通信し得る。
【０１２０】
図２４Ｄに示されるコアネットワーク１０７は、モビリティ管理ゲートウェイ（ＭＭＥ）１６２と、サービングゲートウェイ１６４と、パケットデータネットワーク（ＰＤＮ）ゲートウェイ１６６とを含み得る。前述の要素の各々は、コアネットワーク１０７の一部として描写されるが、これらの要素のうちのいずれか１つは、コアネットワークオペレータ以外のエンティティによって所有および／または運営され得ることが理解されるであろう。
【０１２１】
ＭＭＥ１６２は、Ｓ１インターフェースを介して、ＲＡＮ１０４内のｅＮｏｄｅ−Ｂ１６０ａ、１６０ｂ、および１６０ｃの各々に接続され得、制御ノードとしての役割を果たし得る。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期アタッチ中の特定のサービングゲートウェイの選択等に責任があり得る。ＭＭＥ１６２は、ＲＡＮ１０４とＧＳＭ（登録商標）またはＷＣＤＭＡ（登録商標）等の他の無線技術を採用する他のＲＡＮ（図示せず）との間で切り替えるための制御プレーン機能も提供し得る。
【０１２２】
サービングゲートウェイ１６４は、Ｓ１インターフェースを介して、ＲＡＮ１０４内のｅＮｏｄｅ−Ｂ１６０ａ、１６０ｂ、および１６０ｃの各々に接続され得る。サービングゲートウェイ１６４は、概して、ユーザデータパケットをＷＴＲＵ１０２ａ、１０２ｂ、１０２ｃへ／からルーティングおよび転送し得る。サービングゲートウェイ１６４はまた、ｅＮｏｄｅＢ間ハンドオーバ中のユーザプレーンのアンカ、ダウンリンクデータがＷＴＲＵ１０２ａ、１０２ｂ、１０２ｃのために利用可能であるときのページングのトリガ、ＷＴＲＵ１０２ａ、１０２ｂ、１０２ｃのコンテキストの管理および記憶、ならびに同等物等の他の機能を果たし得る。
【０１２３】
サービングゲートウェイ１６４は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得るＰＤＮゲートウェイ１６６にも接続され得る。
【０１２４】
コアネットワーク１０７は、他のネットワークとの通信を促進し得る。例えば、コアネットワーク１０７は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。例えば、コアネットワーク１０７は、コアネットワーク１０７とＰＳＴＮ１０８との間のインターフェースとしての役割を果たすＩＰゲートウェイ（例えば、ＩＰマルチメディアサブシステム（ＩＭＳ）サーバ）を含み得るか、またはそれと通信し得る。加えて、コアネットワーク１０７は、ＷＴＲＵ１０２ａ、１０２ｂ、１０２ｃに、他のサービスプロバイダによって所有および／または運営される他の有線もしくは無線ネットワークを含み得るネットワーク１１２へのアクセスを提供し得る。
【０１２５】
図２４Ｅは、ある実施形態による、ＲＡＮ１０５およびコアネットワーク１０９の系統図である。ＲＡＮ１０５は、ＩＥＥＥ  ８０２．１６無線技術を採用し、エアインターフェース１１７を経由して、ＷＴＲＵ１０２ａ、１０２ｂ、および１０２ｃと通信するアクセスサービスネットワーク（ＡＳＮ）であり得る。以下でさらに議論されるであろうように、ＷＴＲＵ１０２ａ、１０２ｂ、１０２ｃ、ＲＡＮ１０５の異なる機能エンティティとコアネットワーク１０９との間の通信リンクは、参照点として定義され得る。
【０１２６】
図２４Ｅに示されるように、ＲＡＮ１０５は、基地局１８０ａ、１８０ｂ、１８０ｃと、ＡＳＮゲートウェイ１８２とを含み得るが、ＲＡＮ１０５は、実施形態と一致したままで、任意の数の基地局およびＡＳＮゲートウェイを含み得ることが理解されるであろう。基地局１８０ａ、１８０ｂ、１８０ｃの各々は、ＲＡＮ１０５内の特定のセルに関連付けられ得、エアインターフェース１１７を経由してＷＴＲＵ１０２ａ、１０２ｂ、１０２ｃと通信するための１つ以上の送受信機を含み得る。実施形態では、基地局１８０ａ、１８０ｂ、１８０ｃは、ＭＩＭＯ技術を実装し得る。したがって、基地局１８０ａは、例えば、複数のアンテナを使用して、ＷＴＲＵ１０２ａに無線信号を伝送し、そこから無線信号を受信し得る。基地局１８０ａ、１８０ｂ、１８０ｃは、ハンドオフトリガ、トンネル確立、無線リソース管理、トラフィック分類、サービス品質（ＱｏＳ）ポリシ施行等のモビリティ管理機能も提供し得る。ＡＳＮゲートウェイ１８２は、トラフィック集約点としての役割を果たし得、ページング、サブスクライバプロファイルのキャッシング、コアネットワーク１０９へのルーティング等に責任があり得る。
【０１２７】
ＷＴＲＵ１０２ａ、１０２ｂ、１０２ｃとＲＡＮ１０５との間のエアインターフェース１１７は、ＩＥＥＥ  ８０２．１６仕様を実装するＲ１参照点として定義され得る。加えて、ＷＴＲＵ１０２ａ、１０２ｂ、および１０２ｃの各々は、コアネットワーク１０９と論理インターフェース（図示せず）を確立し得る。ＷＴＲＵ１０２ａ、１０２ｂ、１０２ｃとコアネットワーク１０９との間の論理インターフェースは、認証、認可、ＩＰホスト構成管理、および／またはモビリティ管理のために使用され得るＲ２参照点として定義され得る。
【０１２８】
基地局１８０ａ、１８０ｂ、および１８０ｃの各々間の通信リンクは、ＷＴＲＵハンドオーバならびに基地局の間のデータの転送を促進するためのプロトコルを含むＲ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃの各々に関連付けられるモビリティイベントに基づいてモビリティ管理を促進するためのプロトコルを含み得る。
【０１２９】
図２４Ｅに示されるように、ＲＡＮ１０５は、コアネットワーク１０９に接続され得る。ＲＡＮ１０５とコアネットワーク１０９との間の通信リンクは、例えば、データ転送およびモビリティ管理能力を促進するためのプロトコルを含む、Ｒ３参照点として定義され得る。コアネットワーク１０９は、モバイルＩＰホームエージェント（ＭＩＰ−ＨＡ）１８４と、認証、認可、会計（ＡＡＡ）サーバ１８６と、ゲートウェイ１８８とを含み得る。前述の要素の各々は、コアネットワーク１０９の一部として描写されるが、これらの要素のうちのいずれか１つは、コアネットワークオペレータ以外のエンティティによって所有および／または運営され得ることが理解されるであろう。
【０１３０】
ＭＩＰ−ＨＡは、ＩＰアドレス管理に責任があり得、ＷＴＲＵ１０２ａ、１０２ｂ、および１０２ｃが、異なるＡＳＮおよび／または異なるコアネットワークの間でローミングすることを可能にし得る。ＭＩＰ−ＨＡ１８４は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。ＡＡＡサーバ１８６は、ユーザ認証およびユーザサービスをサポートすることに責任があり得る。ゲートウェイ１８８は、他のネットワークとのインターワーキングを促進し得る。例えば、ゲートウェイ１８８は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。加えて、ゲートウェイ１８８は、ＷＴＲＵ１０２ａ、１０２ｂ、１０２ｃに、他のサービスプロバイダによって所有および／または運営される他の有線もしくは無線ネットワークを含み得るネットワーク１１２へのアクセスを提供し得る。
【０１３１】
図２４Ｅに示されていないが、ＲＡＮ１０５は、他のＡＳＮに接続され得、コアネットワーク１０９は、他のコアネットワークに接続され得ることが理解されるであろう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含み得るＲ４参照点として定義され得る。コアネットワーク１０９と他のコアネットワークとの間の通信リンクは、ホームコアネットワークと訪問したコアネットワークとの間のインターワーキングを促進するためのプロトコルを含み得るＲ５参照点として定義され得る。
【０１３２】
本明細書に説明され、図２４Ａ、２４Ｃ、２４Ｄ、および２４Ｅに図示されるコアネットワークエンティティは、ある既存の３ＧＰＰ仕様におけるそれらのエンティティに与えられる名称によって識別されるが、将来において、それらのエンティティおよび機能性は、他の名称によって識別され得、あるエンティティまたは機能は、将来の３ＧＰＰ  ＮＲ仕様を含む３ＧＰＰによって公開される将来の仕様の中で組み合わせられ得ることが理解される。したがって、図２４Ａ、２４Ｂ、２４Ｃ、２４Ｄ、および２４Ｅに説明ならびに図示される特定のネットワークエンティティおよび機能性は、一例のみとして提供され、本明細書で開示および請求される主題は、現在定義されているか、または将来的に定義されるかどうかにかかわらず、任意の類似通信システムで具現化もしくは実装され得ることが理解される。
【０１３３】
図２４Ｆは、ＲＡＮ１０３／１０４／１０５、コアネットワーク１０６／１０７／１０９、ＰＳＴＮ１０８、インターネット１１０、または他のネットワーク１１２内のあるノードもしくは機能エンティティ等の図２４Ａ、２４Ｃ、２４Ｄ、および２４Ｅに図示される通信ネットワークの１つ以上の装置が具現化され得る例示的コンピューティングシステム９０のブロック図である。コンピューティングシステム９０は、コンピュータまたはサーバを備え得、主に、そのようなソフトウェアが記憶またはアクセスされる場所もしくは手段にかかわらず、ソフトウェアの形態であり得るコンピュータ読み取り可能な命令によって制御され得る。そのようなコンピュータ読み取り可能な命令は、コンピューティングシステム９０を稼働させるように、プロセッサ９１内で実行され得る。プロセッサ９１は、汎用プロセッサ、専用プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ９１は、信号符号化、データ処理、電力制御、入力／出力処理、および／またはコンピューティングシステム９０が通信ネットワーク内で動作することを可能にする任意の他の機能性を実施し得る。コプロセッサ８１は、追加の機能を果たし得る、またはプロセッサ９１を支援し得るメインプロセッサ９１とは明確に異なる、随意のプロセッサである。プロセッサ９１および／またはコプロセッサ８１は、本明細書に開示される方法ならびに装置に関連するデータを受信、生成、および処理し得る。
【０１３４】
動作時、プロセッサ９１は、命令をフェッチ、復号、および実行し、コンピューティングシステムの主要データ転送パスであるシステムバス８０を介して、情報を他のリソースへ、ならびにそこから転送する。そのようなシステムバスは、コンピューティングシステム９０内のコンポーネントを接続し、データ交換のための媒体を定義する。システムバス８０は、典型的には、データを送信するためのデータラインと、アドレスを送信するためのアドレスラインと、インタラプトを送信するため、およびシステムバスを動作させるための制御ラインとを含む。そのようなシステムバス８０の例は、ＰＣＩ（周辺コンポーネント相互接続）バスである。
【０１３５】
システムバス８０に結合されるメモリは、ランダムアクセスメモリ（ＲＡＭ）８２と、読取専用メモリ（ＲＯＭ）９３とを含む。そのようなメモリは、情報が記憶されて読み出されることを可能にする回路を含む。ＲＯＭ９３は、概して、容易に修正されることができない記憶されたデータを含む。ＲＡＭ８２内に記憶されたデータは、プロセッサ９１または他のハードウェアデバイスによって読み取られるか、もしくは変更されることができる。ＲＡＭ８２および／またはＲＯＭ９３へのアクセスは、メモリコントローラ９２によって制御され得る。メモリコントローラ９２は、命令が実行されると、仮想アドレスを物理アドレスに変換するアドレス変換機能を提供し得る。メモリコントローラ９２は、システム内のプロセスを隔離し、ユーザプロセスからシステムプロセスを隔離するメモリ保護機能も提供し得る。したがって、第１のモードで起動するプログラムは、その独自のプロセス仮想アドレス空間によってマップされるメモリのみにアクセスすることができ、プロセス間のメモリ共有が設定されていない限り、別のプロセスの仮想アドレス空間内のメモリにアクセスすることができない。
【０１３６】
加えて、コンピューティングシステム９０は、プロセッサ９１から、プリンタ９４、キーボード８４、マウス９５、およびディスクドライブ８５等の周辺機器に命令を通信する責任がある、周辺機器コントローラ８３を含み得る。
【０１３７】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。視覚出力は、グラフィカルユーザインターフェース（ＧＵＩ）の形態で提供され得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子コンポーネントを含む。
【０１３８】
さらに、コンピューティングシステム９０は、図２４Ａ、２４Ｂ、２４Ｃ、２４Ｄ、および２４ＥのＲＡＮ１０３／１０４／１０５、コアネットワーク１０６／１０７／１０９、ＰＳＴＮ１０８、インターネット１１０、または他のネットワーク１１２等の外部通信ネットワークにコンピューティングシステム９０を接続し、コンピューティングシステム９０がそれらのネットワークの他のノードもしくは機能エンティティと通信することを可能にするために使用され得る、例えば、ネットワークアダプタ９７等の通信回路を含み得る。通信回路は、単独で、またはプロセッサ９１と組み合わせて、本明細書に説明されるある装置、ノード、もしくは機能エンティティの伝送および受信ステップを実施するために使用され得る。
【０１３９】
本明細書に説明される装置、システム、方法、およびプロセスのうちのいずれかまたは全ては、コンピュータ読み取り可能な記憶媒体上に記憶されたコンピュータ実行可能命令（例えば、プログラムコード）の形態で具現化され得、その命令は、プロセッサ１１８または９１等のプロセッサによって実行されると、プロセッサに、本明細書に説明されるシステム、方法、およびプロセスを実施ならびに／もしくは実装させることが理解される。具体的には、本明細書に説明されるステップ、動作、または機能のうちのいずれかは、そのようなコンピュータ実行可能命令の形態で実装され、無線および／または有線ネットワーク通信のために構成される装置もしくはコンピューティングシステムのプロセッサ上で実行し得る。コンピュータ読み取り可能な記憶媒体は、情報の記憶のための任意の非一過性（すなわち、有形または物理）方法もしくは技術で実装される、揮発性および不揮発性媒体、取り外し可能および非取り外し可能媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学ディスク記憶装置、磁気カセット、磁気テープ、磁気ディスク記憶装置もしくは他の磁気記憶デバイス、または所望の情報を記憶するために使用されることができ、かつコンピュータによってアクセスされることができる、任意の他の有形もしくは物理的媒体を含むが、それらに限定されない。
【０１４０】
以下は、上記の説明の中で出現し得るサービスレベル技術に関する頭字語のリストである。別様に規定されない限り、本明細書で使用される頭字語は、以下に列挙される、対応する用語を指す。
ＡＣＫ  確認応答
ＡＩＤ  関連識別子（８０２．１１）
ＡＰ  アクセスポイント（８０２．１１）
ＡＰＮ  アクセスポイント名
ＡＳ  アクセス層
ＢＳ  基地局
ＣＡ  衝突回避
ＣＤ  衝突検出
ＣＦＩ  制御フォーマットインジケータ
ＣＮ  コアネットワーク
ＣＭＡＳ  民間モバイルアラートシステム
Ｃ−ＲＮＴＩ  セル無線ネットワーク一時識別子
ＣＳＭＡ  搬送波感知多重アクセス
ＣＳＭＡ／ＣＤ  衝突検出を伴うＣＳＭＡ
ＣＳＭＡ／ＣＡ  衝突回避を伴うＣＳＭＡ
ＤＣＡ  専用衝突エリア
ＤＣＩ  ダウンリンク制御情報
ＤＡＣＴＩ  動的アクセス構成時間インターバル
ＤＬ  ダウンリンク
ＤＲＸ  不連続受信
ＥＣＧＩ  Ｅ−ＵＴＲＡＮセルグローバル識別子
ＥＣＭ  ＥＰＳ接続管理
ｅＭＢＢ  拡張モバイルブロードバンド
ＥＭＭ  ＥＰＳモビリティ管理
ｅＮＢ  進化型ノードＢ
ＥＴＷＳ  地震および津波警報システム  
Ｅ−ＵＴＲＡ  進化型ユニバーサル地上無線アクセス
Ｅ−ＵＴＲＡＮ  進化型ユニバーサル地上無線アクセスネットワーク
ＦＤＭ  周波数分割多重
ＦＦＳ  さらなる研究対象
ＧＥＲＡＮ  ＧＳＭ（登録商標）  ＥＤＧＥ無線アクセスネットワーク
ＧＳＭ（登録商標）  モバイル通信用グローバルシステム
ＧＵＴＩ  大域的に一意の一時ＵＥ識別
ＨＥ    高効率
ＨＳＳ    ホームサブスクライバサーバ
ＩＥ  情報要素
ＩＭＳＩ  国際モバイルサブスクライバ識別
ＩＭＴ  国際モバイル電気通信
ＫＰＩ  重要性能インジケータ
ＬＴＥ  ロングタームエボリューション
ＭＡＣ  媒体アクセス制御
ＭＢＭＳ  マルチメディアブロードキャストマルチキャストサービス
ＭＣＬ  最大結合損失
ＭＩＢ  マスタ情報ブロック
ＭＭＥ  モバイル管理エンティティ
ＭＴＣ  マシンタイプ通信
ｍＭＴＣ  マッシブマシンタイプ通信
ＮＡＣＫ  否定応答
ＮＡＳ  非アクセス層
ＮＲ  新しい無線
ＯＢＯ  ＯＦＤＭバックオフ（８０２．１１）
ＯＦＤＭ  直交周波数分割多重
ＰＤＣＣＨ  物理ダウンリンク制御チャネル
ＰＤＳＣＨ  物理ダウンリンク共有チャネル
ＰＨＹ  物理層
ＰＣＦＩＣＨ  物理制御フォーマットインジケータチャネル
ＰＤＣＰ  パケットデータ収束プロトコル
ＰＨＩＣＨ  物理ハイブリッドＡＲＱインジケータチャネル
ＰＰＤＵ  ＰＬＣＰプロトコルデータ単位（８０２．１１）
ＰＲＡＣＨ  物理ランダムアクセスチャネル
ＰＲＢ  物理リソースブロック
ＰＵＣＣＨ  物理アップリンク制御チャネル
ＰＵＳＣＨ  物理アップリンク共有チャネル
ＱｏＳ  サービス品質
ＲＡ  ランダムアクセス
ＲＡＣＨ  ランダムアクセスチャネル
ＲＡＮ  無線アクセスネットワーク（３ＧＰＰ）
ＲＭＳＵ  到達可能性およびモビリティステータス更新
ＲＢ  リソースブロック
ＲＬＣ  無線リンク制御
ＲＮＴＩ  無線ネットワーク一時識別子
ＲＲＣ  無線リソース制御
ＲＵ  リソース単位（８０２．１１）
ＳＩ  システム情報
ＳＩＢ  システム情報ブロック
ＳＲ  スケジューリング要求
ＳＴＡ  局（８０２．１１）
ＴＡＩ  追跡エリアインジケータ
ＴＡＵ  追跡エリア更新
ＴＢＤ  未定義
ＴＤＭ  時分割多重
ＴＥＩＤ  トンネルエンドポイントＩＤ
ＴＲＰ  伝送および受信点
ＴＴＩ  伝送時間インターバル
ＵＣＩ  アップリンク制御情報
ＵＥ  ユーザ機器
ＵＬ  アップリンク
ＵＲ／ＬＬ  超信頼性／低遅延
ＵＲＬＬＣ  超信頼性かつ低遅延の通信
本明細書は、最良の様態を含む、本発明を開示するために、また、当業者が、任意のデバイスまたはシステムを作製して使用することと、任意の組み込まれた方法を行うこととを含む、本発明を実践することを可能にするために、例を使用する。本発明の特許性のある範囲は、請求項によって定義され、当業者に想起される他の例を含み得る。そのような他の例は、請求項の文字通りの言葉とは異ならない構造要素を有する場合、または請求項の文字通りの言葉とのごくわずかな差異を伴う同等の構造要素を含む場合、請求項の範囲内であることを意図している。
【図１】
2019519993.tif 000006
【図２】
2019519993.tif 000007
【図３】
2019519993.tif 000008
【図４Ａ】
2019519993.tif 000009
【図４Ｂ】
2019519993.tif 000010
【図５Ａ】
2019519993.tif 000011
【図５Ｂ】
2019519993.tif 000012
【図６Ａ】
2019519993.tif 000013
【図６Ｂ】
2019519993.tif 000014
【図７Ａ】
2019519993.tif 000015
【図７Ｂ】
2019519993.tif 000016
【図８Ａ】
2019519993.tif 000017
【図８Ｂ】
2019519993.tif 000018
【図９Ａ】
2019519993.tif 000019
【図９Ｂ】
2019519993.tif 000020
【図１０Ａ】
2019519993.tif 000021
【図１０Ｂ】
2019519993.tif 000022
【図１１Ａ】
2019519993.tif 000023
【図１１Ｂ】
2019519993.tif 000024
【図１２】
2019519993.tif 000025
【図１３】
2019519993.tif 000026
【図１４】
2019519993.tif 000027
【図１５】
2019519993.tif 000028
【図１６】
2019519993.tif 000029
【図１７】
2019519993.tif 000030
【図１８】
2019519993.tif 000031
【図１９】
2019519993.tif 000032
【図２０Ａ】
2019519993.tif 000033
【図２０Ｂ】
2019519993.tif 000034
【図２１Ａ】
2019519993.tif 000035
【図２１Ｂ】
2019519993.tif 000036
【図２２Ａ】
2019519993.tif 000037
【図２２Ｂ】
2019519993.tif 000038
【図２３】
2019519993.tif 000039
【図２４Ａ】
2019519993.tif 000040
【図２４Ｂ】
2019519993.tif 000041
【図２４Ｃ】
2019519993.tif 000042
【図２４Ｄ】
2019519993.tif 000043
【図２４Ｅ】
2019519993.tif 000044
【図２４Ｆ】
2019519993.tif 000045
【国際調査報告】
2019519993.tif 000046
2019519993.tif 000047